(57)【要約】  本発明は、モード切替方法、装置、プログラム、及び記録媒体に関し、自動制御の技術分野に属する。当該モード切替方法は、自身の運転状態が異常状態にあるか否かを検出するステップと、異常状態にある場合、現在の運転モードをセーフモードに切り替えるステップと、前記セーフモードで運転するステップと、前記家電機器と電子設備が接続されている場合、前記電子設備に異常情報を送信するステップと、を含む。本発明は、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。【選択図】図１
2017503143.tif 000002
【特許請求の範囲】
【請求項１】
家電機器に用いられるモード切替方法であって、
自身の運転状態が異常状態にあるか否かを検出するステップと、
異常状態にある場合、現在の運転モードをセーフモードに切り替えるステップと、
前記セーフモードで運転するステップと、
前記家電機器と電子設備が接続されている場合、前記電子設備に異常情報を送信するステップと、
を含み、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替方法。
【請求項２】
自身の運転状態が異常状態にあるか否かを検出するステップは、
ハッチが開けられているか否かを検出し、前記ハッチが開けられている場合、前記家電機器が異常状態にあると特定するステップ、及び／又は、
異物が存在するか否かを検出し、異物が存在する場合、前記家電機器が異常状態にあると特定するステップ、及び／又は、
正常運転を妨げる外力があるか否かを検出し、前記外力が第１の閾値より大きい場合、前記家電機器が異常状態にあると特定するステップを含むことを特徴とする請求項１に記載のモード切替方法。
【請求項３】
前記異常情報により通知される前記異常問題が解消されたか否かを検出するステップと、
前記異常情報により通知される前記異常問題が解消された場合、前記電子設備に異常回復情報を送信するステップと、
をさらに含み、
前記電子設備は、前記電子設備の表示画面に前記異常回復情報を表示するために用いられることを特徴とする請求項１に記載のモード切替方法。
【請求項４】
前記電子設備からの運転回復信号を受信するステップと、
前記運転回復信号に基づいて、前記異常位置の運転を回復するステップと、
をさらに含むことを特徴とする請求項３に記載のモード切替方法。
【請求項５】
前記異常情報を統計するためのサーバに前記異常情報をアップロードするステップをさらに含むことを特徴とする請求項１〜４のいずれか１項に記載のモード切替方法。
【請求項６】
前記電子設備に異常情報を送信するステップは、
前記電子設備との間に確立された無線接続によって、前記電子設備に前記異常情報を送信するステップ、又は、
ゲートウェイ設備を介して、同一のＬＡＮに属する前記電子設備に前記異常情報を送信するステップ、又は、
インタネットを介して、前記電子設備に前記異常情報を送信するステップを含むことを特徴とする請求項１〜４のいずれか１項に記載のモード切替方法。
【請求項７】
前記電子設備と予め結合関係を確立するステップをさらに含むことを特徴とする請求項６に記載のモード切替方法。
【請求項８】
電子設備に用いられるモード切替方法であって、
前記家電機器から送信された異常情報を受信するステップと、
前記電子設備の表示画面に前記異常情報を表示するステップと、
を含み、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替方法。
【請求項９】
前記電子設備の表示画面に前記異常情報を表示するステップは、
前記異常情報のうちの異常位置が前記家電機器の模式図に表示される場合、前記異常位置を前記家電機器の模式図における他の位置から区別表示するステップを含み、
前記区別表示は、色区別表示、動画区別表示、及び輪郭区別表示のうちの少なくとも１つを含むことを特徴とする請求項８に記載のモード切替方法。
【請求項１０】
前記家電機器から送信された異常回復情報を受信するステップと、
前記電子設備の表示画面に前記異常回復情報を表示するステップと、
をさらに含み、
前記異常回復情報は、前記家電機器が前記異常問題の回復を検出したときに送信するものであることを特徴とする請求項８に記載のモード切替方法。
【請求項１１】
前記家電機器に運転回復信号を送信するステップをさらに含み、
前記運転回復信号は、前記家電機器が前記異常位置の運転を回復するように指示するためのものであることを特徴とする請求項１０に記載のモード切替方法。
【請求項１２】
前記家電機器から送信された異常情報を受信するステップは、
前記家電機器との間に確立された無線接続によって、前記家電機器から送信された前記異常情報を受信するステップ、又は、
ゲートウェイ設備を介して、同一のＬＡＮに属する前記家電機器から送信された前記異常情報を受信するステップ、又は、
インタネットを介して、前記家電機器から送信された前記異常情報を受信するステップを含むことを特徴とする請求項８〜１１のいずれか１項に記載のモード切替方法。
【請求項１３】
前記家電機器と予め結合関係を確立するステップをさらに含むことを特徴とする請求項１２に記載のモード切替方法。
【請求項１４】
家電機器に用いられるモード切替装置であって、
自身の運転状態が異常状態にあるか否かを検出するように構成される第１の検出モジュールと、
異常状態にある場合、現在の運転モードをセーフモードに切り替えるように構成されるモード切替モジュールと、
前記セーフモードで運転するように構成されるモード運転モジュールと、
前記家電機器と電子設備が接続されている場合、前記電子設備に異常情報を送信するように構成される第１の送信モジュールと、
を含み、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替装置。
【請求項１５】
前記第１の検出モジュールは、
ハッチが開けられているか否かを検出し、前記ハッチが開けられている場合、前記家電機器が異常状態にあると特定するように構成される第１の検出サブモジュール、及び／又は、
異物が存在するか否かを検出し、異物が存在する場合、前記家電機器が異常状態にあると特定するように構成される第２の検出サブモジュール、及び／又は、
正常運転を妨げる外力があるか否かを検出し、前記外力が第１の閾値より大きい場合、前記家電機器が異常状態にあると特定するように構成される第３の検出サブモジュールを含むことを特徴とする請求項１４に記載のモード切替装置。
【請求項１６】
前記異常情報により通知される前記異常問題が解消されたか否かを検出するように構成される第２の検出モジュールと、
前記異常情報により通知される前記異常問題が解消された場合、前記電子設備に異常回復情報を送信するように構成される第２の送信モジュールと、
をさらに含み、
前記電子設備は、前記電子設備の表示画面に前記異常回復情報を表示するために用いられることを特徴とする請求項１４に記載のモード切替装置。
【請求項１７】
前記電子設備からの運転回復信号を受信するように構成される信号受信モジュールと、
前記運転回復信号に基づいて、前記異常位置の運転を回復するように構成される運転回復モジュールと、
をさらに含むことを特徴とする請求項１６に記載のモード切替装置。
【請求項１８】
前記異常情報を統計するためのサーバに前記異常情報をアップロードするように構成される情報アップロードモジュールをさらに含むことを特徴とする請求項１４〜１７のいずれか１項に記載のモード切替装置。
【請求項１９】
前記第１の送信モジュールは、
前記電子設備との間に確立された無線接続によって、前記電子設備に前記異常情報を送信するように構成される第１の送信サブモジュール、又は、
ゲートウェイ設備を介して、同一のＬＡＮに属する前記電子設備に前記異常情報を送信するように構成される第２の送信サブモジュール、又は、
インタネットを介して、前記電子設備に前記異常情報を送信するように構成される第３の送信サブモジュールを含むことを特徴とする請求項１４〜１７のいずれか１項に記載のモード切替装置。
【請求項２０】
前記電子設備と予め結合関係を確立するように構成される第１の結合モジュールをさらに含むことを特徴とする請求項１９に記載のモード切替装置。
【請求項２１】
電子設備に用いられるモード切替装置であって、
前記家電機器から送信された異常情報を受信するように構成される第１の受信モジュールと、
前記電子設備の表示画面に前記異常情報を表示するように構成される第１の表示モジュールと、
を含み、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替装置。
【請求項２２】
前記第１の表示モジュールは、
前記異常情報のうちの異常位置が前記家電機器の模式図に表示される場合、前記異常位置を前記家電機器の模式図における他の位置から区別表示するように構成される区別表示サブモジュールを含み、
前記区別表示は、色区別表示、動画区別表示、及び輪郭区別表示のうちの少なくとも１つを含むことを特徴とする請求項２１に記載のモード切替装置。
【請求項２３】
前記家電機器から送信された異常回復情報を受信するように構成される第２の受信モジュールと、
前記電子設備の表示画面に前記異常回復情報を表示するように構成される第２の表示モジュールと、
をさらに含み、
前記異常回復情報は、前記家電機器が前記異常問題の回復を検出したときに送信するものであることを特徴とする請求項２１に記載のモード切替装置。
【請求項２４】
前記家電機器に運転回復信号を送信するように構成される第３の送信モジュールをさらに含み、
前記運転回復信号は、前記家電機器が前記異常位置の運転を回復するように指示するためのものであることを特徴とする請求項２３に記載のモード切替装置。
【請求項２５】
前記第１の受信モジュールは、
前記家電機器との間に確立された無線接続によって、前記家電機器から送信された前記異常情報を受信するように構成される第１の受信サブモジュール、又は、
ゲートウェイ設備を介して、同一のＬＡＮに属する前記家電機器から送信された前記異常情報を受信するように構成される第２の受信サブモジュール、又は、
インタネットを介して、前記家電機器から送信された前記異常情報を受信するように構成される第３の受信サブモジュールを含むことを特徴とする請求項２１〜２４のいずれか１項に記載のモード切替装置。
【請求項２６】
前記家電機器と予め結合関係を確立するように構成される第２の結合モジュールをさらに含むことを特徴とする請求項２５に記載のモード切替装置。
【請求項２７】
プロセッサと、
前記プロセッサにより実行可能な命令を記憶するためのメモリと、
を含み、
前記プロセッサは、
自身の運転状態が異常状態にあるか否かを検出し、
異常状態にある場合、現在の運転モードをセーフモードに切り替え、
前記セーフモードで運転し、
前記家電機器と電子設備が接続されている場合、前記電子設備に異常情報を送信するように構成され、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替装置。
【請求項２８】
プロセッサと、
前記プロセッサにより実行可能な命令を記憶するためのメモリと、
を含み、
前記プロセッサは、
前記家電機器から送信された異常情報を受信し、
前記電子設備の表示画面に前記異常情報を表示するように構成され、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替装置。
【発明の詳細な説明】
【技術分野】
【０００１】
本発明は、自動制御の技術分野に属し、特に、モード切替方法、及び装置に関する。
【背景技術】
【０００２】
様々な家電機器の普及に伴い、ユーザは、家電機器を使用する時、ますます家電機器の安全性を重要視する。
【０００３】
関連技術において、空気調和機、加湿器、空気清浄器などの家電機器には、通常ファンが設置されている。使用中にこのような家電機器に異常が生じることがあるが、ユーザがこの異常にすぐには気づかない場合がある。また、家電機器の異常発生時にファンが回転し続けている場合もあり、このような場合、ユーザが当該家電機器を修理する際には一定の安全上の危険が潜在する。このようなときに、ユーザは、手動で家電機器の運転モードをオフモードに調整することができる。
【０００４】
本発明者は、本発明を実現する過程において、上記関連技術には少なくとも下記の問題があることを見出した。
【０００５】
上記関連技術では、家電機器に異常が生じたときに、やはりユーザはこの異常にすぐには気づくことができない。また、家電機器の運転モードをオフモードに調整する過程が依然人手による制御であることからユーザがオフモードへの調整を忘れた場合には依然比較的大きな安全上の危険が潜在する。
【発明の概要】
【０００６】
本発明の実施例は、上記関連技術における上述した問題を解決するために、モード切替方法、及び装置を提供する。その提案は、以下のとおりである。
【０００７】
本発明の実施例の第１の態様によると、家電機器に用いられるモード切替方法を提供し、当該モード切替方法は、
自身の運転状態が異常状態にあるか否かを検出するステップと、
異常状態にある場合、現在の運転モードをセーフモードに切り替えるステップと、
セーフモードで運転するステップと、
家電機器と電子設備が接続されている場合、電子設備に異常情報を送信するステップと、を含み、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【０００８】
１つの実施例において、自身の運転状態が異常状態にあるか否かを検出するステップは、
ハッチが開けられているか否かを検出し、ハッチが開けられている場合、家電機器が異常状態にあると特定するステップ、及び／又は、
異物が存在するか否かを検出し、異物が存在する場合、家電機器が異常状態にあると特定するステップ、及び／又は、
正常運転を妨げる外力があるか否かを検出し、外力が第１の閾値より大きい場合、家電機器が異常状態にあると特定するステップを含む。
【０００９】
１つの実施例において、当該モード切替方法は、
異常情報により通知される異常問題が解消されたか否かを検出するステップと、
異常情報により通知される異常問題が解消された場合、電子設備に異常回復情報を送信するステップと、をさらに含み、
電子設備は、電子設備の表示画面に異常回復情報を表示するために用いられる。
【００１０】
１つの実施例において、当該モード切替方法は、
電子設備からの運転回復信号を受信するステップと、
運転回復信号に基づいて、異常位置の運転を回復するステップと、をさらに含む。
【００１１】
１つの実施例において、当該モード切替方法は、
異常情報を統計するためのサーバに異常情報をアップロードするステップをさらに含む。
【００１２】
１つの実施例において、電子設備に異常情報を送信するステップは、
電子設備との間に確立された無線接続によって、電子設備に異常情報を送信するステップ、又は、
ゲートウェイ設備を介して、同一のＬＡＮに属する電子設備に異常情報を送信するステップ、又は、
インタネットを介して、電子設備に異常情報を送信するステップを含む。
【００１３】
１つの実施例において、当該モード切替方法は、
電子設備と予め結合関係を確立するステップをさらに含む。
【００１４】
本発明の実施例の第２の態様によると、電子設備に用いられるモード切替方法を提供し、当該モード切替方法は、
家電機器から送信された異常情報を受信するステップと、
電子設備の表示画面に異常情報を表示するステップと、を含み、
異常情報は、家電機器が自身の運転状態が異常状態にあることを検出したときに送信するものであり、
異常情報は、異常位置、異常問題、異常時間、及び異常写真のうちの少なくとも1つを含む。
【００１５】
１つの実施例において、電子設備の表示画面に異常情報を表示するステップは、
異常情報のうちの異常位置が家電機器の模式図に表示される場合、異常位置を家電機器の模式図における他の位置から区別表示するステップを含み、
区別表示は、色区別表示、動画区別表示、及び輪郭区別表示のうちの少なくとも１つを含む。
【００１６】
１つの実施例において、当該モード切替方法は、
家電機器から送信された異常回復情報を受信するステップと、
電子設備の表示画面に異常回復情報を表示するステップと、をさらに含み、
異常回復情報は、家電機器が異常問題の回復を検出したときに送信するものである。
【００１７】
１つの実施例において、当該モード切替方法は、
家電機器に運転回復信号を送信するステップをさらに含み、
運転回復信号は、家電機器が異常位置の運転を回復するように指示するためのものである。
【００１８】
１つの実施例において、家電機器から送信された異常情報を受信するステップは、
家電機器との間に確立された無線接続によって、家電機器から送信された異常情報を受信するステップ、又は、
ゲートウェイ設備を介して、同一のＬＡＮに属する家電機器から送信された異常情報を受信するステップ、又は、
インタネットを介して、家電機器から送信された異常情報を受信するステップを含む。
【００１９】
１つの実施例において、当該モード切替方法は、
家電機器と予め結合関係を確立するステップをさらに含む。
【００２０】
本発明の実施例の第３の態様によると、家電機器に用いられるモード切替装置を提供し、当該モード切替装置は、
自身の運転状態が異常状態にあるか否かを検出するように構成される第１の検出モジュールと、
異常状態にある場合、現在の運転モードをセーフモードに切り替えるように構成されるモード切替モジュールと、
セーフモードで運転するように構成されるモード運転モジュールと、
家電機器と電子設備が接続されている場合、電子設備に異常情報を送信するように構成される第１の送信モジュールと、を含み、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【００２１】
１つの実施例において、第１の検出モジュールは、
ハッチが開けられているか否かを検出し、ハッチが開けられている場合、家電機器が異常状態にあると特定するように構成される第１の検出サブモジュール、及び／又は、
異物が存在するか否かを検出し、異物が存在する場合、家電機器が異常状態にあると特定するように構成される第２の検出サブモジュール、及び／又は、
正常運転を妨げる外力があるか否かを検出し、外力が第１の閾値より大きい場合、家電機器が異常状態にあると特定するように構成される第３の検出サブモジュールを含む。
【００２２】
１つの実施例において、当該モード切替装置は、
異常情報により通知される異常問題が解消されたか否かを検出するように構成される第２の検出モジュールと、
異常情報により通知される異常問題が解消された場合、電子設備に異常回復情報を送信するように構成される第２の送信モジュールと、をさらに含み、
電子設備は、電子設備の表示画面に異常回復情報を表示するために用いられる。
【００２３】
１つの実施例において、当該モード切替装置は、
電子設備からの運転回復信号を受信するように構成される信号受信モジュールと、
運転回復信号に基づいて、異常位置の運転を回復するように構成される運転回復モジュールと、をさらに含む。
【００２４】
１つの実施例において、当該モード切替装置は、
異常情報を統計するためのサーバに異常情報をアップロードするように構成される情報アップロードモジュールをさらに含む。
【００２５】
１つの実施例において、第１の送信モジュールは、
電子設備との間に確立された無線接続によって、電子設備に異常情報を送信するように構成される第１の送信サブモジュール、又は、
ゲートウェイ設備を介して、同一のＬＡＮに属する電子設備に異常情報を送信するように構成される第２の送信サブモジュール、又は、
インタネットを介して、電子設備に異常情報を送信するように構成される第３の送信サブモジュールを含む。
【００２６】
１つの実施例において、当該モード切替装置は、
電子設備と予め結合関係を確立するように構成される第１の結合モジュールをさらに含む。
【００２７】
本発明の実施例の第４の態様によると、電子設備に用いられるモード切替装置を提供し、当該モード切替装置は、
家電機器から送信された異常情報を受信するように構成される第１の受信モジュールと、
電子設備の表示画面に異常情報を表示するように構成される第１の表示モジュールと、を含み、
異常情報は、家電機器が自身の運転状態が異常状態にあることを検出したときに送信するものであり、
異常情報は、異常位置、異常問題、異常時間、及び異常写真のうちの少なくとも1つを含む。
【００２８】
１つの実施例において、第１の表示モジュールは、
異常情報のうちの異常位置が家電機器の模式図に表示される場合、異常位置を家電機器の模式図における他の位置から区別表示するように構成される区別表示サブモジュールを含み、
区別表示は、色区別表示、動画区別表示、及び輪郭区別表示のうちの少なくとも１つを含む。
【００２９】
１つの実施例において、当該モード切替装置は、
家電機器から送信された異常回復情報を受信するように構成される第２の受信モジュールと、
電子設備の表示画面に異常回復情報を表示するように構成される第２の表示モジュールと、をさらに含み、
異常回復情報は、家電機器が異常問題の回復を検出したときに送信するものである。
【００３０】
１つの実施例において、当該モード切替装置は、
家電機器に運転回復信号を送信するように構成される第３の送信モジュールをさらに含み、
運転回復信号は、家電機器が異常位置の運転を回復するように指示するためのものである。
【００３１】
１つの実施例において、第１の受信モジュールは、
家電機器との間に確立された無線接続によって、家電機器から送信された異常情報を受信するように構成される第１の受信サブモジュール、又は、
ゲートウェイ設備を介して、同一のＬＡＮに属する家電機器から送信された異常情報を受信するように構成される第２の受信サブモジュール、又は、
インタネットを介して、家電機器から送信された異常情報を受信するように構成される第３の受信サブモジュールを含む。
【００３２】
１つの実施例において、当該モード切替装置は、
家電機器と予め結合関係を確立するように構成される第２の結合モジュールをさらに含む。
【００３３】
本発明の実施例の第５の態様によると、家電機器に用いられるモード切替装置を提供し、当該モード切替装置は、
プロセッサと、
プロセッサにより実行可能な命令を記憶するためのメモリと、を含み、
プロセッサは、
自身の運転状態が異常状態にあるか否かを検出し、
異常状態にある場合、現在の運転モードをセーフモードに切り替え、
セーフモードで運転し、
家電機器と電子設備が接続されている場合、電子設備に異常情報を送信するように構成され、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【００３４】
本発明の実施例の第６の態様によると、電子設備に用いられるモード切替装置を提供し、当該モード切替装置は、
プロセッサと、
プロセッサにより実行可能な命令を記憶するためのメモリと、を含み、
プロセッサは、
家電機器から送信された異常情報を受信し、
電子設備の表示画面に異常情報を表示するように構成され、
異常情報は、家電機器が自身の運転状態が異常状態にあることを検出したときに送信するものであり、
異常情報は、異常位置、異常問題、異常時間、及び異常写真のうちの少なくとも1つを含む。
【００３５】
本発明の実施例に係る提案は、以下の有益な効果を有する。
【００３６】
本発明の実施例に係る提案では、自身の運転状態が異常状態にあるか否かを検出し、異常状態にある場合、現在の運転モードをセーフモードに切り替え、セーフモードで運転し、家電機器と電子設備が接続されている場合には、電子設備に異常情報を送信する。これにより、ユーザが家電機器の異常にすぐに気づくことができないこと、および、ユーザが家電機器の運転モードをオフモードに調整することを忘れることで依然比較的大きな安全上の危険が潜在するという問題を解決する。つまり、ユーザが家電機器の異常をすぐに気づくことができるようにし、家電機器の損害程度を効果的に低減させ、ユーザによる家電機器の使用時の安全上の潜在的危険を効果的に低減させるという効果を達成できる。
【００３７】
以上の一般的な記述と、以下の詳細の記述は、例示的なものに過ぎず、本発明を限定するものではないことを理解すべきである。
【図面の簡単な説明】
【００３８】
以下に示す図面は、明細書に組み込まれて本明細書の一部分を構成し、本発明に該当する実施例を例示するとともに、明細書とともに本発明の原理について説明するためのものである。
【図１】一例示的な実施例に係るモード切替方法のフロー図である。
【図２】別の例示的な実施例に係るモード切替方法のフロー図である。
【図３Ａ】さらに別の例示的な実施例に係るモード切替方法のフロー図である。
【図３Ｂ】さらに別の例示的な実施例に係るモード切替方法に関する画面模式図である。
【図３Ｃ】さらに別の例示的な実施例に係るモード切替方法に関する別の画面模式図である。
【図４】さらに別の例示的な実施例に係るモード切替方法のフロー図である。
【図５】一例示的な実施例に係るモード切替装置のブロック図である。
【図６】別の例示的な実施例に係るモード切替装置のブロック図である。
【図７】さらに別の例示的な実施例に係るモード切替装置のブロック図である。
【図８】さらに別の例示的な実施例に係るモード切替装置のブロック図である。
【図９】一例示的な実施例に係るモード切替装置のブロック図である。
【図１０】別の例示的な実施例に係るモード切替装置のブロック図である。
【００３９】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００４０】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００４１】
本発明の各実施例において、家電機器は、扇風機、空気調和機、加湿器、空気清浄器のうちのいずれか１つである。本発明の各実施例において、電子設備は、携帯電話、タブレットパソコン、電子書籍リーダ、ＭＰ３プレイヤ（Ｍｏｖｉｎｇ Ｐｉｃｔｕｒｅ Ｅｘｐｅｒｔｓ Ｇｒｏｕｐ Ａｕｄｉｏ Ｌａｙｅｒ III）、ＭＰ４プレイヤ（Ｍｏｖｉｎｇ Ｐｉｃｔｕｒｅ Ｅｘｐｅｒｔｓ Ｇｒｏｕｐ Ａｕｄｉｏ Ｌａｙｅｒ IV）、スマートテレビ、ポータブルラップトップコンピュータ、デスクトップコンピュータなどである。
【００４２】
図１は、一例示的な実施例に係るモード切替方法のフロー図である。本実施例は、当該モード切替方法が家電機器に応用されることを例として説明する。当該モード切替方法は、以下のステップを含むことができる。
【００４３】
ステップ１０２において、自身の運転状態が異常状態にあるか否かを検出する。
【００４４】
ステップ１０４において、異常状態にある場合、現在の運転モードをセーフモードに切り替える。
【００４５】
ステップ１０６において、セーフモードで運転する。当該セーフモードは、家電機器の電動機への電源をオフすること、警報を発すること、家電機器のファンの回転を停止させることのうちの少なくとも1つを含む。
【００４６】
ステップ１０８において、家電機器と電子設備が接続されている場合、電子設備に異常情報を送信する。当該電子設備は、電子設備の表示画面に異常情報を表示する。当該異常情報は、異常位置、異常問題、異常時間、及び異常写真のうちの少なくとも1つを含む。
【００４７】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、ユーザが家電機器の運転モードをオフモードに調整することを忘れた場合に依然比較的大きな安全上の危険が潜在するという問題を解決する。つまり、ユーザが家電機器の異常をすぐに気づくことができるようにして家電機器の損害程度を効果的に低減させるとともに、ユーザによる家電機器の使用時の安全上の潜在的危険を効果的に低減させるという効果を達成できる。
【００４８】
図２は、別の例示的な実施例に係るモード切替方法のフロー図である。本実施例は、当該モード切替方法が電子設備に応用されることを例として説明する。当該モード切替方法は、以下のステップを含むことができる。
【００４９】
ステップ２０２において、家電機器から送信された異常情報を受信する。当該異常情報は、家電機器が自身の運転状態が異常状態にあることを検出したときに送信するものである。
ステップ２０４において、電子設備の表示画面に異常情報を表示する。当該異常情報は、異常位置、異常問題、異常時間、及び異常写真のうちの少なくとも1つを含む。
【００５０】
要するに、本実施例に係るモード切替方法によると、家電機器から送信された異常情報を受信し、異常情報を電子設備の表示画面に表示することによって、ユーザが家電機器の異常にすぐに気づくことができないこと、及び、家電機器の運転モードをオフモードに調整することを忘れた場合、相変らず比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【００５１】
図３Ａは、別の例示的な実施例に係るモード切替方法のフロー図である。本実施例は、当該モード切替方法が家電機器と電子設備に応用されることを例として説明する。当該モード切替方法は、以下のステップを含むことができる。
【００５２】
ステップ３０１において、電子設備と家電機器との結合関係を予め確立する。
【００５３】
電子設備は、家電機器識別子と電子設備識別子に基づいて、電子設備と家電機器との結合関係（バインディング関係）を確立することができる。家電機器は、結合関係が確立された電子設備から送信される制御信号のみを受信する。
【００５４】
例えば、家電機器が空気清浄器であり、電子設備がスマートフォンである場合、空気清浄器の表面に二次元コード識別子があると、スマートフォンは、当該二次元コード識別子を走査することにより空気清浄器識別子を取得することができ、取得した空気清浄器識別子と自身の識別子に基づいて、空気清浄器とスマートフォンとの結合関係を確立することができる。空気清浄器は、結合関係が確立された電子設備から送信される制御信号のみを受信する。
【００５５】
ステップ３０２において、家電機器は、自身の運転状態が異常状態にあるか否かを検出する。
【００５６】
家電機器は、運転中に自身の運転状態が異常状態にあるか否かを検出する。
【００５７】
例えば、家電機器が空気清浄器である場合、空気清浄器は、運転中に自身の運転状態が異常状態にあるか否かを検出する。
【００５８】
第１の可能な実現方式として、当該ステップは、以下のサブステップを含むが、それらに限らない。
【００５９】
１．家電機器は、ハッチが開けられているか否かを検出する。
家電機器におけるハッチは、上面ベーンハッチ、下面ハッチ、裏面フィルタコアハッチのうちの少なくとも１つを含む。これらのハッチは、いずれも開けられるものである。家電機器のこれらのハッチに、Ｒ型スイッチ、マイクロスイッチ、マグネチックスイッチのうちのいずれか１つを予め取り付けることができる。いずれか１つのハッチが開けられると、上記スイッチがトリガーされる。家電機器は、上記いずれか１つのスイッチがトリガーされたか否かにより、ハッチが開けられているか否かを検出する。
例えば、家電機器が空気清浄器である場合、空気清浄器は、ハッチが開けられているか否かを検出する。
【００６０】
２．ハッチが開けられている場合、家電機器が異常状態にあると特定する。
家電機器において、いずれか１つのハッチが開けられている場合、当該家電機器が異常状態にあると特定する。
例えば、家電機器が空気清浄器であり、空気清浄器のいずれか１つのハッチが開けられていると、当該空気清浄器が異常状態にあると特定する。
【００６１】
第２の可能な実現方式として、当該ステップは、以下のサブステップを含むが、それらに限らない。
【００６２】
１．家電機器は、異物が存在するか否かを検出する。
家電機器のグリルに異物が存在する場合がある。家電機器は、異物が存在するか否かを検出する。
例えば、家電機器が空気清浄器である場合、空気清浄器は、異物が存在するか否かを検出する。
【００６３】
２．異物が存在する場合、家電機器が異常状態にあると特定する。
グリルに異物が存在する場合、当該家電機器が異常状態にあると特定する。
例えば、家電機器が空気清浄器であり、空気清浄器のグリルに異物が存在する場合、当該空気清浄器が異常状態にあると特定する。
【００６４】
第３の可能な実現方式として、当該ステップは、以下のサブステップを含むが、それらに限らない。
【００６５】
１．家電機器は、正常運転を妨げる外力が存在するか否かを検出する。
家電機器において、正常運転を妨げる外力が存在することは、２つの可能性がある。
（１）重力による押圧
例えば、排気口に重物が置かれた場合、浄化効率に深刻な影響を与え、家電機器の正常運転を妨げる。
（２）過大気圧
例えば、排気口から壁までの距離が非常に近い場合、壁の反射により、気圧が過大となり、家電機器の正常運転を妨げる。
例えば、家電機器が空気清浄器である場合、空気清浄器は、正常運転を妨げる外力が存在するか否かを検出する。
【００６６】
２．外力が第１の閾値より大きい場合、家電機器が異常状態にあると特定する。
ここで、第１の閾値は、ユーザが状況に応じて設定したものであってもよく、設備保守者が予め設定したものであってもよい。
例えば、家電機器が空気清浄器であり、外力が第１の閾値より大きい場合、空気清浄器が異常状態にあると特定する。
【００６７】
上記３種類の可能な実現方式は、そのうちの一つのみを実行してもよく、任意の２種類の実現方式を組み合わせて実行してもよく、３種類の実現方式を組み合わせて実行してもよい。いずれか１つの実現方式に該当する状況が発生すれば、家電機器が異常状態にあると特定する。
【００６８】
ステップ３０３において、異常状態にある場合、家電機器は、現在の運転モードをセーフモードに切り替える。
【００６９】
家電機器は、異常状態にある場合、現在の運転モードをセーフモードに切り替える。
【００７０】
例えば、家電機器が空気清浄器であり、空気清浄器が異常状態にある場合、現在の運転モードをセーフモードに切り替える。
【００７１】
ステップ３０４において、家電機器は、セーフモードで運転する。当該セーフモードは、家電機器の電動機への電源をオフすること、警報を発すること、家電機器のファンの回転を停止させることのうちの少なくとも1つを含む。
【００７２】
ハッチが開けられていたり正常運転を妨げる外力が存在することにより家電機器が異常状態になる場合、家電機器は、現在の電動機への電源をオフするとともに、警報を発することができる。現在の電動機への電源がオフされると、ファンは、相変らず運転状態にあるが、回転速度が遅くなる。
【００７３】
グリルに異物が存在することにより家電機器が異常状態になる場合、家電機器は、現在の電動機への電源をオフするともに、警報を発することができる。家電機器は、回転軸のロックをトリガーして、ファンの回転をすぐに停止させることもできる。
【００７４】
当該家電機器ファンが２つ以上あり、上面グリルに異物が存在することにより家電機器が異常状態になる場合、当該箇所の上面ファンの回転をすぐに停止させてもよく、設備の全てのファンの回転を停止させてもよい。下面グリルに異物が存在することにより家電機器が異常状態になる場合、当該箇所の下面ファンの回転をすぐに停止させてもよく、設備の全てのファンの回転を停止させてもよい。
【００７５】
例えば、家電機器が空気清浄器である場合、空気清浄器は、セーフモードで運転する。
【００７６】
ステップ３０５において、家電機器と電子設備が接続されている場合、家電機器は、電子設備に異常情報を送信する。当該電子設備は、電子設備の表示画面に異常情報を表示する。当該異常情報は、異常位置、異常問題、異常時間、及び異常写真のうちの少なくとも1つを含む。
【００７７】
家電機器の所在エリア又は家電機器の異常位置にカメラが設けられている場合、電子設備は、家電機器がカメラで撮影した異常位置に対応する異常情報を受信することができる。
【００７８】
例えば、家電機器が空気清浄器であり、空気清浄器の所在エリア又は空気清浄器の異常位置にカメラが設けられている場合、空気清浄器は、電子設備に異常情報を送信する。
【００７９】
当該ステップ３０５は、以下の３種類の実現方式を含むことができる。
【００８０】
第１の可能な実現方式として、家電機器は、電子設備との間に確立された無線接続によって、電子設備に異常情報を送信する。当該無線接続は、ブルーティース接続やＷｉＦｉ（Ｗｉｒｅｌｅｓｓ-Ｆｉｄｅｌｉｔｙ）接続である。
【００８１】
例えば、家電機器が空気清浄器である場合、空気清浄器は、電子設備との間に確立された無線接続によって、電子設備に異常情報を送信する。
【００８２】
第２の可能な実現方式として、家電機器は、ゲートウェイ設備を介して、同一のＬＡＮに属する電子設備に異常情報を送信する。すなわち、家電機器と電子設備は同一のＬＡＮにあり、家電機器と電子設備はゲートウェイ設備を介して通信可能である。
【００８３】
例えば、家電機器が空気清浄器である場合、空気清浄器は、ゲートウェイ設備を介して、同一のＬＡＮに属する電子設備に異常情報を送信する。
【００８４】
第３の可能な実現方式として、家電機器は、インタネットを介して、電子設備に異常情報を送信する。
【００８５】
例えば、家電機器が空気清浄器である場合、空気清浄器は、インタネットを介して、電子設備に異常情報を送信する。
【００８６】
ステップ３０６において、電子設備は、家電機器から送信された異常情報を受信する。
【００８７】
家電機器と電子設備が接続されている場合、電子設備は、家電機器から送信された異常情報を受信する。
【００８８】
例えば、家電機器が空気清浄器であり、空気清浄器と電子設備が接続されている場合、電子設備は、空気清浄器から送信された異常情報を受信する。
【００８９】
当該ステップ３０６は、以下３種類の実現方式を含むことができる。
【００９０】
第１の可能な実現方式として、電子設備は、家電機器との間に確立された無線接続によって、家電機器から送信された異常情報を受信する。当該無線接続は、ブルーティース接続やＷｉＦｉ接続である。
【００９１】
第２の可能な実現方式として、電子設備は、ゲートウェイ設備を介して、同一のＬＡＮに属する家電機器から送信された異常情報を受信する。すなわち、家電機器と電子設備は同一のＬＡＮにあり、家電機器と電子設備はゲートウェイ設備を介して通信可能である。
【００９２】
第３の可能な実現方式として、電子設備は、インタネットを介して、家電機器から送信された異常情報を受信する。
【００９３】
ステップ３０７において、電子設備は、電子設備の表示画面に異常情報を表示する。当該異常情報は、異常位置、異常問題、異常時間、異常写真のうちの少なくとも１つを含む。
【００９４】
例えば、電子設備がスマートフォンである場合、スマートフォンの表示画面に異常情報を表示する。当該異常情報は、異常位置、異常問題、異常時間、異常写真のうちの少なくとも１つを含む。
異常情報が異常位置、異常問題、異常時間のうちの少なくとも１つを含む場合、電子設備の表示画面に文字で当該異常情報を表示する。
【００９５】
異常情報が異常写真を含む場合、電子設備の表示画面にイメージで当該異常情報を表示する。
【００９６】
例えば、図３Ｂを参照すると、電子設備の表示画面３０にイメージ３１で当該異常情報を表示する画面模式図を示す。当該異常問題３２は、当該家電機器のリアハッチが開けられていることである。
【００９７】
異常情報のうちの異常位置が家電機器の模式図に表示される場合、異常位置を家電機器の模式図における他の位置から区別表示する。当該区別表示は、色区別表示、動画区別表示、及び輪郭区別表示のうちの少なくとも１つを含む。
【００９８】
例えば、図３Ｃを参照すると、電子設備の表示画面３０に家電機器の模式図３３で当該異常情報を表示する画面模式図を示す。当該異常問題３４は、家電機器のリアハッチが開けられていることである。家電機器の模式図３３において、色により、異常位置であるリアハッチを家電機器の模式図における他の位置から区別表示する。図３Ｃに示すように、異常位置であるリアハッチは、黒色で表示され、他の位置は、白色で表示される。
【００９９】
例えば、家電機器が空気清浄器であり、異常情報のうちの異常位置が空気清浄器の模式図に表示される場合、異常位置を空気清浄器の模式図における他の位置から区別表示する。
【０１００】
ステップ３０８において、家電機器は、異常情報をサーバにアップロードする。当該サーバは、異常情報を統計する。
【０１０１】
当該ステップ３０８は、ステップ３０５以降の任意の時点で実行してもよい。
【０１０２】
例えば、家電機器が空気清浄器である場合、空気清浄器は、異常情報をサーバにアップロードする。当該サーバは、異常情報を統計する。
【０１０３】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし家電機器の損害程度を効果的に低減させるとともに、ユーザによる家電機器の使用時の安全上の潜在的危険を効果的に低減させるという効果を達成できる。
【０１０４】
本実施例に係るモード切替方法によると、さらに、異常情報を統計するためのサーバに異常情報をアップロードすることにより、メーカがサーバを通じて家電機器の異常情報を把握して統計できるようにするという効果を達成できる。
【０１０５】
図４は、さらに別の例示的な実施例に係るモード切替方法のフロー図である。本実施例は、当該モード切替方法が家電機器と電子設備に応用されることを例として説明する。当該モード切替方法は、以下のステップを含むことができる。
【０１０６】
ステップ４０１において、電子設備と家電機器が予め結合関係を確立する。
【０１０７】
電子設備は、家電機器識別子と電子設備識別子に基づいて、家電機器と電子設備の結合関係を確立することができる。家電機器は、結合関係が確立された電子設備から送信される制御信号のみを受信する。
【０１０８】
例えば、電子設備がスマートテレビである場合、スマートテレビは、家電機器識別子と自身の識別子に基づいて、家電機器とスマートテレビの結合関係を確立することができる。家電機器は、結合関係が確立されたスマートテレビから送信される制御信号のみを受信する。
【０１０９】
ステップ４０２において、家電機器は、自身の運転状態が異常状態にあるか否かを検出する。
【０１１０】
家電機器は、運転中に自身の運転状態が異常状態にあるか否かを検出する。
【０１１１】
当該ステップ４０２に含まれる可能な実現方式は、上記実施例におけるステップ３０２の実現方式と同一であるため、ここでは繰り返して説明しない。
【０１１２】
ステップ４０３において、異常状態にある場合、家電機器は、現在の運転モードをセーフモードに切り替える。
【０１１３】
ステップ４０４において、家電機器は、セーフモードで運転する。当該セーフモードは、家電機器の電動機への電源をオフすること、警報を発すること、家電機器のファンの回転を停止させることのうちの少なくとも1つを含む。
【０１１４】
ハッチが開けられていたり正常運転を妨げる外力が存在することにより家電機器が異常状態になる場合、家電機器は、現在の電動機への電源をオフするとともに、警報を発することができる。現在の電動機への電源がオフされると、ファンは、依然運転状態にあるが、回転速度が遅くなる。
【０１１５】
グリルに異物が存在することにより家電機器が異常状態になる場合、家電機器は、現在の電動機への電源をオフするとともに、警報を発することができる。家電機器は、回転軸のロックをトリガーして、ファンの回転をすぐに停止させることもできる。
【０１１６】
当該家電機器ファンが２つ以上あり、上面グリルに異物が存在することにより家電機器が異常状態になる場合、当該箇所の上面ファンの回転をすぐに停止させてもよく、設備の全てのファンの回転を停止させてもよい。下面グリルに異物が存在することにより家電機器が異常状態になる場合、当該箇所の下面ファンの回転をすぐに停止させてもよく、設備の全てのファンの回転を停止させてもよい。
【０１１７】
ステップ４０５において、家電機器と電子設備が接続されている場合、家電機器は、電子設備に異常情報を送信する。当該電子設備は、電子設備の表示画面に異常情報を表示する。当該異常情報は、異常位置、異常問題、異常時間、及び異常写真のうちの少なくとも1つを含む。
【０１１８】
家電機器の所在エリア又は家電機器の異常位置にカメラが設けられている場合、家電機器は、カメラで異常位置を撮影し、異常位置に対応する異常情報を電子設備に送信することができる。
【０１１９】
当該ステップ４０５は、以下の３種類の実現方式を含むことができる。
【０１２０】
第１の可能な実現方式として、家電機器は、電子設備との間に確立された無線接続によって、電子設備に異常情報を送信する。当該無線接続は、ブルーティース接続やＷｉＦｉ接続である。
【０１２１】
第２の可能な実現方式として、家電機器は、ゲートウェイ設備を介して、同一のＬＡＮに属する電子設備に異常情報を送信する。すなわち、家電機器と電子設備は同一のＬＡＮにあり、家電機器と電子設備はゲートウェイ設備を介して通信可能である。
【０１２２】
第３の可能な実現方式として、家電機器は、インタネットを介して、電子設備に異常情報を送信する。
【０１２３】
ステップ４０６において、電子設備は、家電機器から送信された異常情報を受信する。
【０１２４】
家電機器と電子設備が接続されている場合、電子設備は、家電機器から送信された異常情報を受信する。
【０１２５】
当該ステップ４０６は、以下３種類の実現方式を含むことができる。
【０１２６】
第１の可能な実現方式として、電子設備は、家電機器との間に確立された無線接続によって、家電機器から送信された異常情報を受信する。当該無線接続は、ブルーティース接続やＷｉＦｉ接続である。
【０１２７】
第２の可能な実現方式として、電子設備は、ゲートウェイ設備を介して、同一のＬＡＮに属する家電機器から送信された異常情報を受信する。すなわち、家電機器と電子設備は同一のＬＡＮにあり、家電機器と電子設備はゲートウェイ設備を介して通信可能である。
【０１２８】
第３の可能な実現方式として、電子設備は、インタネットを介して、家電機器から送信された異常情報を受信する。
【０１２９】
ステップ４０７において、電子設備は、電子設備の表示画面に異常情報を表示する。当該異常情報は、異常位置、異常問題、異常時間、異常写真のうちの少なくとも１つを含む。
【０１３０】
例えば、電子設備がスマートテレビである場合、スマートテレビの表示画面に異常情報を表示する。当該異常情報は、異常位置、異常問題、異常時間、異常写真のうちの少なくとも１つを含む。
【０１３１】
異常情報が異常位置、異常問題、異常時間のうちの少なくとも１つを含む場合、電子設備の表示画面に文字で当該異常情報を表示する。
【０１３２】
異常情報が異常写真を含む場合、電子設備の表示画面にイメージで当該異常情報を表示する。
【０１３３】
異常情報のうちの異常位置が家電機器の模式図に表示される場合、異常位置を家電機器の模式図における他の位置から区別表示する。当該区別表示は、色区別表示、動画区別表示、及び輪郭区別表示のうちの少なくとも１つを含む。
【０１３４】
ステップ４０８において、家電機器は、異常情報により通知される異常問題が解消されたか否かを検出する。
【０１３５】
家電機器の所在エリア又は家電機器の異常位置にカメラが設けられている場合、家電機器は、カメラで異常位置を撮影することができる。当該異常位置が回復され正常になると、異常問題が解消されたことを表す。
【０１３６】
ステップ４０９において、異常情報により通知される異常問題が解消された場合、家電機器は、異常回復情報を電子設備に送信する。当該電子設備は、電子設備の表示画面に異常回復情報を表示するために用いられる。
【０１３７】
ステップ４１０において、電子設備は、家電機器から送信された異常回復情報を受信する。
【０１３８】
ステップ４１１において、電子設備は、電子設備の表示画面に異常回復情報を表示する。
【０１３９】
例えば、電子設備がスマートテレビである場合、スマートテレビの表示画面に異常回復情報を表示する。
【０１４０】
異常回復情報が異常回復位置、異常回復問題、及び異常回復時間のうちの少なくとも１つを含む場合、電子設備の表示画面に文字で当該異常回復情報を表示する。ユーザは、当該異常回復情報をもとに、異常情報と比較することができる。
【０１４１】
異常回復情報が異常回復写真を含む場合、電子設備の表示画面にイメージで当該異常回復情報を表示する。ユーザは、当該異常回復情報をもとに、異常情報と比較することができる。
【０１４２】
異常回復情報のうちの異常回復位置が家電機器の模式図に表示される場合、異常回復位置と家電機器の模式図における他の位置をいずれも正常に表示する。ユーザは、当該異常回復情報をもとに、異常情報と比較することができる。
【０１４３】
ステップ４１２において、電子設備は、家電機器が異常位置の運転を回復するように指示するための運転回復信号を家電機器に送信する。
【０１４４】
電子設備は、家電機器に運転回復信号を送信する。当該運転回復信号は、ユーザが家電機器の模式図における異常回復位置をクリックするとトリガーされる。
【０１４５】
例えば、異常回復問題は、家電機器の上面ベーンハッチが閉じられたことであるとする。上面ベーンハッチが閉じられ、ユーザが家電機器の模式図における上面ベーンハッチの位置をクリックすると、電子設備から家電機器への運転回復信号の送信がトリガーされる。当該運転回復信号は、上面ベーンハッチにおける電動機への電源供給を回復させるためのものである。
【０１４６】
例えば、異常回復問題は、家電機器の上面グリルにおける異物が取り除かれたことであるとする。当該異物が取り除かれ、ユーザが家電機器の模式図における上面グリルの位置をクリックすると、電子設備から家電機器への運転回復信号の送信がトリガーされる。当該運転回復信号は、上面グリルにおけるファンの回転を回復させるためのものである。
【０１４７】
例えば、異常回復問題は、家電機器の上面グリルにおいて、家電機器の正常運転を妨げる重量物が持ち去られたとする。重量物が持ち去られて家電機器の正常運転を妨げなくなり、ユーザが家電機器の模式図における上面グリルの位置をクリックすると、電子設備から家電機器への運転回復信号の送信がトリガーされる。当該運転回復信号は、上面グリルにおける電動機への電源供給を回復させるためのものである。
【０１４８】
ステップ４１３において、家電機器は、電子設備からの運転回復信号を受信する。
【０１４９】
例えば、異常問題は、家電機器の上面ベーンハッチが開けられていることであるとする。上面ベーンハッチが閉じられると、家電機器は、電子設備から送信される運転回復信号を受信する。
【０１５０】
例えば、異常問題は、家電機器の上面グリルに異物があることであるとする。当該異物が取り除かれると、家電機器は、電子設備から送信される運転回復信号を受信する。
【０１５１】
例えば、異常問題は、家電機器の上面グリルに家電機器の正常運転を妨げる重量物があるとする。重量物が持ち去られて家電機器の正常運転を妨げなくなると、家電機器は、電子設備から送信される運転回復信号を受信する。
【０１５２】
ステップ４１４において、家電機器は、運転回復信号に基づいて異常位置の運転を回復する。
【０１５３】
例えば、異常位置は、家電機器の上面ベーンハッチの位置であり、異常問題は、上面ベーンハッチが開けられていることであるとする。異常問題が解消されると、即ち上面ベーンハッチが閉じられると、家電機器は、運転回復信号に基づいて異常位置の運転を回復する。即ち、家電機器は、運転回復信号に基づいて、上面ベーンハッチにおける電動機への電源供給を回復する。
【０１５４】
例えば、異常位置は、家電機器の上面グリルの位置であり、異常問題は、上面グリルに異物があることであるとする。異常問題が解消されると、即ち当該異物が取り除かれると、家電機器は、運転回復信号に基づいて異常位置の運転を回復する。即ち、家電機器は、運転回復信号に基づいて、上面グリルにおけるファンの回転を回復させる。
【０１５５】
例えば、異常位置は、家電機器の上面グリルの位置であり、異常問題は、上面グリルに重量物があり、且つ当該家電機器の正常運転を妨げることであるとする。異常問題が解消されると、即ち重量物が持ち去られて家電機器の正常運転を妨げなくなると、家電機器は、運転回復信号に基づいて異常位置の運転を回復する。即ち、家電機器は、運転回復信号に基づいて、上面グリルにおける電動機への電源供給を回復する。
【０１５６】
ステップ４１５において、家電機器は、異常情報を統計するためのサーバに異常情報をアップロードする。
【０１５７】
当該ステップ４１５は、ステップ４０５以降の任意の時点に実行してもよい。
【０１５８】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１５９】
本実施例に係るモード切替方法によると、さらに、異常情報により通知される異常問題が解消されたか否かを検出し、異常情報により通知される異常問題が解消された場合、電子設備に異常回復情報を送信することによって、異常問題が解消されたか否かをリアルタイムにモニタリングできるという効果を達成できる。
【０１６０】
本実施例に係るモード切替方法によると、さらに、電子設備からの運転回復信号を受信し、運転回復信号に基づいて異常位置の運転を回復することによって、手動で運転を回復する必要がなく、自動に運転を回復できるという効果を達成できる。
【０１６１】
本実施例に係るモード切替方法によると、さらに、異常情報を統計するためのサーバに異常情報をアップロードすることにより、メーカがサーバを通じて家電機器の異常情報を把握して統計できるようにするという効果を達成できる。
【０１６２】
以下は、本発明の装置の実施例であり、本発明の方法の実施例を実行できる。本発明の装置の実施例で開示されない細部は、本発明の方法の実施例を参照されたい。
【０１６３】
図５は、一例示的な実施例に係るモード切替装置のブロック図である。当該モード切替装置は、ソフトウェア、ハードウェア、又は両者の組み合わせにより、家電機器の一部又は全部を実現することができる。当該モード切替装置は、第１の検出モジュール５２０と、モード切替モジュール５４０と、モード運転モジュール５６０と、第１の送信モジュール５８０とを含む。
【０１６４】
第１の検出モジュール５２０は、自身の運転状態が異常状態にあるか否かを検出するように構成される。
【０１６５】
モード切替モジュール５４０は、異常状態にある場合、現在の運転モードをセーフモードに切り替えるように構成される。
【０１６６】
モード運転モジュール５６０は、セーフモードで運転するように構成される。当該セーフモードは、家電機器の電動機への電源をオフすること、警報を発すること、家電機器のファンの回転を停止させることのうちの少なくとも1つを含む。
【０１６７】
第１の送信モジュール５８０は、家電機器と電子設備が接続されている場合、電子設備に異常情報を送信するように構成される。当該電子設備は、電子設備の表示画面に異常情報を表示する。当該異常情報は、異常位置、異常問題、異常時間、及び異常写真のうちの少なくとも1つを含む。
【０１６８】
要するに、本実施例に係るモード切替装置によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、ユーザが家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１６９】
図６は、別の例示的な実施例に係るモード切替装置のブロック図である。当該モード切替装置は、ソフトウェア、ハードウェア、又は両者の組み合わせにより、家電機器の一部又は全部を実現することができる。当該モード切替装置は、第１の検出モジュール６１０と、モード切替モジュール６２０と、モード運転モジュール６３０と、第１の送信モジュール６４０とを含む。
【０１７０】
第１の検出モジュール６１０は、自身の運転状態が異常状態にあるか否かを検出するように構成される。
【０１７１】
モード切替モジュール６２０は、異常状態にある場合、現在の運転モードをセーフモードに切り替えるように構成される。
【０１７２】
モード運転モジュール６３０は、セーフモードで運転するように構成される。当該セーフモードは、家電機器の電動機への電源をオフすること、警報を発すること、家電機器のファンの回転を停止させることのうちの少なくとも1つを含む。
【０１７３】
第１の送信モジュール６４０は、家電機器と電子設備が接続されている場合、電子設備に異常情報を送信するように構成される。当該電子設備は、電子設備の表示画面に異常情報を表示するために用いられる。当該異常情報は、異常位置、異常問題、異常時間、及び異常写真のうちの少なくとも1つを含む。
【０１７４】
好ましくは、第１の検出モジュール６１０は、ハッチが開けられているか否かを検出し、ハッチが開けられている場合、家電機器が異常状態にあると特定するように構成される第１の検出サブモジュール６１２、及び／又は、異物が存在するか否かを検出し、異物が存在する場合、家電機器が異常状態にあると特定するように構成される第２の検出サブモジュール６１４、及び／又は、正常運転を妨げる外力があるか否かを検出し、外力が第１の閾値より大きい場合、家電機器が異常状態にあると特定するように構成される第３の検出サブモジュール６１６を含む。
【０１７５】
好ましくは、当該モード切替装置は、異常情報により通知される異常問題が解消されたか否かを検出するように構成される第２の検出モジュール６５０と、異常情報により通知される異常問題が解消された場合、電子設備に異常回復情報を送信するように構成される第２の送信モジュール６６０をさらに含む。ここで、上記電子設備は、電子設備の表示画面に異常回復情報を表示するために用いられる。
【０１７６】
好ましくは、当該モード切替装置は、電子設備からの運転回復信号を受信するように構成される信号受信モジュール６７０と、運転回復信号に基づいて異常位置の運転を回復するように構成される運転回復モジュール６８０をさらに含む。
【０１７７】
好ましくは、当該モード切替装置は、異常情報を統計するためのサーバに異常情報をアップロードするように構成される情報アップロードモジュール６９０をさらに含む。
【０１７８】
好ましくは、第１の送信モジュール６４０は、電子設備との間に確立された無線接続によって、電子設備に異常情報を送信するように構成される第１の送信サブモジュール６４２、又は、ゲートウェイ設備を介して、同一のＬＡＮに属する電子設備に異常情報を送信するように構成される第２の送信サブモジュール６４４、又は、インタネットを介して、電子設備に異常情報を送信するように構成される第３の送信サブモジュール６４０を含む。
【０１７９】
好ましくは、当該モード切替装置は、電子設備と予め結合関係を確立するように構成される第１の結合モジュール６００をさらに含む。
【０１８０】
要するに、本実施例に係るモード切替装置によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１８１】
本実施例に係るモード切替装置によると、さらに、異常情報により通知される異常問題が解消されたか否かを検出し、異常情報により通知される異常問題が解消された場合、電子設備に異常回復情報を送信することによって、異常問題が解消されたか否かをリアルタイムにモニタリングできるという効果を達成できる。
【０１８２】
本実施例に係るモード切替装置によると、さらに、電子設備からの運転回復信号を受信し、運転回復信号に基づいて異常位置の運転を回復することによって、手動で運転を回復する必要がなく、自動に運転を回復できるという効果を達成できる。
【０１８３】
本実施例に係るモード切替装置によると、さらに、異常情報を統計するためのサーバに異常情報をアップロードすることにより、メーカがサーバを通じて家電機器の異常情報を把握して統計できるようにするという効果を達成できる。
【０１８４】
図７は、一例示的な実施例に係るモード切替装置のブロック図である。当該モード切替装置は、ソフトウェア、ハードウェア、又は両者の組み合わせにより、電子設備の一部又は全部を実現することができる。当該モード切替装置は、第１の受信モジュール７２０と、第１の表示モジュール７４０とを含む。
【０１８５】
第１の受信モジュール７２０は、家電機器から送信された異常情報を受信するように構成される。当該異常情報は、家電機器が自身の運転状態が異常状態にあることを検出した場合に送信するものである。
【０１８６】
第１の表示モジュール７４０は、電子設備の表示画面に異常情報を表示するように構成される。当該異常情報は、異常位置、異常問題、異常時間、及び異常写真のうちの少なくとも1つを含む。
【０１８７】
要するに、本実施例に係るモード切替装置によると、家電機器から送信された異常情報を受信し、電子設備の表示画面に異常情報を表示することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１８８】
図８は、別の例示的な実施例に係るモード切替装置のブロック図である。当該モード切替装置は、ソフトウェア、ハードウェア、又は両者の組み合わせにより、電子設備の一部又は全部を実現することができる。当該モード切替装置は、第１の受信モジュール８１０と、第１の表示モジュール８２０とを含む。
【０１８９】
第１の受信モジュール８１０は、家電機器から送信された異常情報を受信するように構成される。当該異常情報は、家電機器が自身の運転状態が異常状態にあることを検出した場合に送信するものである。
【０１９０】
第１の表示モジュール８２０は、電子設備の表示画面に異常情報を表示するように構成される。当該異常情報は、異常位置、異常問題、異常時間、及び異常写真のうちの少なくとも1つを含む。
【０１９１】
好ましくは、第１の表示モジュール８２０は、異常情報のうちの異常位置が家電機器の模式図に表示される場合、異常位置を家電機器の模式図における他の位置から区別表示するように構成される区別表示サブモジュール８２２を含む。当該区別表示は、色区別表示、動画区別表示、及び輪郭区別表示のうちの少なくとも１つを含む。
【０１９２】
好ましくは、当該モード切替装置は、家電機器から送信された異常回復情報を受信するように構成される第２の受信モジュール８３０と、電子設備の表示画面に異常回復情報を表示するように構成される第２の表示モジュール８４０をさらに含む。上記異常回復情報は、家電機器が異常問題の回復を検出したときに送信するものである。
【０１９３】
好ましくは、当該モード切替装置は、家電機器が異常位置の運転を回復するように指示するための運転回復信号を家電機器に送信するように構成される第３の送信モジュール８５０をさらに含む。
【０１９４】
好ましくは、第１の受信モジュール８１０は、家電機器との間に確立された無線接続によって、家電機器から送信された異常情報を受信するように構成される第１の受信サブモジュール８１２、又は、ゲートウェイ設備を介して、同一のＬＡＮに属する家電機器から送信された異常情報を受信するように構成される第２の受信サブモジュール８１４、又は、インタネットを介して、家電機器から送信さらた異常情報を受信するように構成される第３の受信サブモジュール８１６を含む。
【０１９５】
好ましくは、当該モード切替装置は、家電機器と予め結合関係を確立するように構成される第２の結合モジュール８６０をさらに含む。
【０１９６】
要するに、本実施例に係るモード切替装置によると、家電機器から送信された異常情報を受信し、電子設備の表示画面に異常情報を表示することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１９７】
本実施例に係るモード切替装置によると、さらに、家電機器から送信された異常回復情報を受信し、電子設備の表示画面に異常回復情報を表示することによって、異常問題が解消されたか否かをリアルタイムにモニタリングできるという効果を達成できる。
【０１９８】
本実施例に係るモード切替装置によると、さらに、家電機器に運転回復信号を送信することによって、手動で運転を回復する必要がなく、自動に運転を回復できるという効果を達成できる。
【０１９９】
上記実施例における装置について、その各モジュールが操作を実行する具体的な方法は、当該方法に係る実施例において詳しく説明されたので、ここで詳しい説明を省略する。
【０２００】
図９は、一例示的な実施例に係るモード切替用装置９００のブロック図である。当該装置は、例えば家電機器である。
【０２０１】
図９を参照すると、装置９００は、プロセスアセンブリ９０２、メモリ９０４、電源アセンブリ９０６、ファンアセンブリ９０８、マフラ９１０、センサアセンブリ９１２、及び通信アセンブリ９１４のような１つ或いは複数のアセンブリを含んでもよい。
【０２０２】
プロセスアセンブリ９０２は、一般的には装置９００の全体の動作を制御するものであり、例えば、表示、電話呼び出し、データ通信と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含んでプロセスアセンブリ９０２と他のアセンブリとの間の相互作用が容易になるようにしてもよい。
【０２０３】
メモリ９０４は、各種類のデータを記憶することにより装置９００の動作を支援するように構成される。これらのデータの例は、装置９００において操作されるいずれのアプリケーションプログラム又は方法の命令を含む。メモリ９０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２０４】
電源アセンブリ９０６は、装置９００の各アセンブリに電力を供給する。電源アセンブリ９０６は、電源管理システム、一つ或いは複数の電源、及び装置９００のための電力の生成、管理、及び割り当てに関連する他のアセンブリを含んでもよい。
【０２０５】
ファンアセンブリ９０８は、装置９００において空気の質を改善するとともにノイズを生じさせる。
【０２０６】
電動機アセンブリ９１０は、装置９００において、電磁誘導の法則に基づいて電気エネルギー変換又は伝達を実現する電磁装置である。電子回路において、電動機（俗に言う「モータ」）は、アルファベットＭ（旧標準ではＤ）で示される。その主な役割は、駆動トルクを生じ、電気装置又は各種類の機械の動力源として用いられる。
【０２０７】
センサアセンブリ９１２は、装置９００に各方面の状態に対する評価を提供するための一つ以上のセンサを含む。
【０２０８】
通信アセンブリ９１４は、装置９００と他の機器の間に有線、又は無線形態の通信を提供する。装置９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１４は、放送チャンネルを介して外部の放送管理システムからの放送信号、又は放送に関連する情報を受信する。一つの例示的な実施例において、上記通信アセンブリ９１４は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２０９】
例示的な実施例において、装置９００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記図１または図３Ａに示すモード切替方法を実行する。
【０２１０】
例示的な実施例において、命令を含むコンピュータ読取り可能な非一時的な記録媒体、例えば命令を含むメモリ９０４をさらに提供し、装置９００のプロセッサ９２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２１１】
図１０は、別の例示的実施例に係るモード切替用装置１０００のブロック図である。当該装置は、電子設備であり、例えば、装置１０００は、携帯電話、コンピュータ、デジタル放送端末、メッセージ送受信装置、ゲームコンソール、タブレット装置、医療設備、フィットネス装置、ＰＤＡなどである。
【０２１２】
図１０を参照すると、装置１０００は、プロセスアセンブリ１００２、メモリ１００４、電源アセンブリ１００６、マルチメディアアセンブリ１００８、オーディオアセンブリ１０１０、入出力（Ｉ／Ｏ）インタフェース１０１２、センサアセンブリ１０１４、及び通信アセンブリ１０１６のような一つ或いは複数のアセンブリを含んでもよい。
【０２１３】
プロセスアセンブリ１００２は、一般的には装置１０００の全体の動作を制御するものであり、例えば、表示、電話呼び出し、データ通信、カメラ操作、及び記録操作と関連する操作を制御する。プロセスアセンブリ１００２は、一つ以上のプロセッサ１０２０を含み、これらによって命令を実行することにより、上記の方法の全部、或は一部のステップを実現するようにしてもよい。なお、プロセスアセンブリ１００２は、一つ以上のモジュールを含んでプロセスアセンブリ１００２と他のアセンブリの間のインタラクションを容易にしてもよい。例えば、プロセスアセンブリ１００２は、マルチメディアモジュールを含んでマルチメディアアセンブリ１００８とプロセスアセンブリ１００２の間のインタラクションを容易にしてもよい。
【０２１４】
メモリ１００４は、各種類のデータを記憶することにより装置１０００の動作を支援するように構成される。これらのデータの例は、装置１０００において操作されるいずれのアプリケーションプログラム又は方法の命令、連絡対象データ、電話帳データ、メッセージ、画像、ビデオ等を含む。メモリ１００４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２１５】
電源アセンブリ１００６は、装置１０００の各アセンブリに電力を供給する。電源アセンブリ１００６は、電源管理システム、一つ或いは複数の電源、及び装置１０００のための電力の生成、管理、及び割り当てに関連する他のアセンブリを含んでもよい。
【０２１６】
マルチメディアアセンブリ１００８は、上記装置１０００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１００８は、一つのフロントカメラ、及び／又はリアカメラを含む。装置１０００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２１７】
オーディオアセンブリ１０１０は、オーディオ信号を入出力するように構成される。例えば、オーディオアセンブリ１０１０は、一つのマイク（ＭＩＣ）を含み、装置１０００が、例えば呼出しモード、記録モード、及び音声認識モード等の操作モードにある場合、マイクは外部のオーディオ信号を受信することができる。受信されたオーディオ信号は、さらにメモリ１００４に記憶されたり、通信アセンブリ１０１６を介して送信されたりする。部分実施例において、オーディオアセンブリ１０１０は、オーディオ信号を出力するための一つのスピーカーをさらに含む。
【０２１８】
Ｉ／Ｏインタフェース１０１２は、プロセスアセンブリ１００２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２１９】
センサアセンブリ１０１４は、装置１０００に各方面の状態に対する評価を提供するための一つ以上のセンサを含む。例えば、センサアセンブリ１０１４は、装置１０００のＯＮ／ＯＦＦ状態、装置１０００のディスプレイとキーパッドのようなアセンブリの相対的な位置決めを検出できる。また、センサアセンブリ１０１４は、装置１０００、或いは装置１０００の一つのアセンブリの位置変更、ユーザと装置１０００とが接触しているか否か、装置１０００の方位、又は加速／減速、装置１０００の温度の変化を検出できる。センサアセンブリ１０１４は、何れの物理的接触がない状態にて付近の物体の存在を検出するための近接センサを含んでもよい。センサアセンブリ１０１４は、撮影アプリケーションに適用するため、ＣＭＯＳ、又はＣＣＤ画像センサのような光センサを含んでもよい。部分実施例において、当該センサアセンブリ１０１４は、加速度センサ、ジャイロスコープセンサ、磁気センサ、圧力センサ、及び温度センサをさらに含んでもよい。
【０２２０】
通信アセンブリ１０１６は、装置１０００と他の機器の間に有線、又は無線形態の通信を提供する。装置１０００は、例えばＷｉＦｉ、２Ｇ、３Ｇ、或はこれらの組み合わせなどの、通信規格に基づいた無線ネットワークに接続されてもよい。一つの例示的な実施例において、通信アセンブリ１０１６は、放送チャンネルを介して外部の放送管理システムからの放送信号、又は放送に関連する情報を受信する。一つの例示的な実施例において、上記通信アセンブリ１０１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２２１】
例示的な実施例において、装置１０００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記図２または図４に示すモード切替方法を実行する。
【０２２２】
例示的な実施例において、命令を含むコンピュータ読取り可能な非一時的な記録媒体、例えば命令を含むメモリ１００４をさらに提供し、装置１０００のプロセッサ１４２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２２３】
本発明は、上記で記述し、添付の図面で図示した特定の構成に限定されず、本発明の範囲を逸脱しない限り、様々な修正と変更を行うことができる。本発明の範囲は、添付される特許請求の範囲のみにより限定される。
【０２２４】
本願は、出願番号がＣＮ２０１４１０５９６７３０．２であって、出願日が２０１４年１０月２９日である中国特許出願に基づき優先権を主張し、当該中国特許出願のすべての内容を本願に援用する。
【図１】
2017503143.tif 000003
【図２】
2017503143.tif 000004
【図３Ａ】
2017503143.tif 000005
【図３Ｃ】
2017503143.tif 000006
【図４】
2017503143.tif 000007
【図５】
2017503143.tif 000008
【図６】
2017503143.tif 000009
【図７】
2017503143.tif 000010
【図８】
2017503143.tif 000011
【図９】
2017503143.tif 000012
【図１０】
2017503143.tif 000013
【図３Ｂ】
2017503143.tif 000014
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
家電機器に用いられるモード切替方法であって、
自身の運転状態が異常状態にあるか否かを検出するステップと、
異常状態にある場合、現在の運転モードをセーフモードに切り替えるステップと、
前記セーフモードで運転するステップと、
前記家電機器と電子設備が接続されている場合、前記電子設備に異常情報を送信するステップと、
を含み、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替方法。
【請求項２】
自身の運転状態が異常状態にあるか否かを検出するステップは、
ハッチが開けられているか否かを検出し、前記ハッチが開けられている場合、前記家電機器が異常状態にあると特定するステップ、及び／又は、
異物が存在するか否かを検出し、異物が存在する場合、前記家電機器が異常状態にあると特定するステップ、及び／又は、
正常運転を妨げる外力があるか否かを検出し、前記外力が第１の閾値より大きい場合、前記家電機器が異常状態にあると特定するステップを含むことを特徴とする請求項１に記載のモード切替方法。
【請求項３】
前記異常情報により通知される前記異常問題が解消されたか否かを検出するステップと、
前記異常情報により通知される前記異常問題が解消された場合、前記電子設備に異常回復情報を送信するステップと、
をさらに含み、
前記電子設備は、前記電子設備の表示画面に前記異常回復情報を表示するために用いられることを特徴とする請求項１に記載のモード切替方法。
【請求項４】
前記電子設備からの運転回復信号を受信するステップと、
前記運転回復信号に基づいて、前記異常位置の運転を回復するステップと、
をさらに含むことを特徴とする請求項３に記載のモード切替方法。
【請求項５】
前記異常情報を統計するためのサーバに前記異常情報をアップロードするステップをさらに含むことを特徴とする請求項１〜４のいずれか１項に記載のモード切替方法。
【請求項６】
前記電子設備に異常情報を送信するステップは、
前記電子設備との間に確立された無線接続によって、前記電子設備に前記異常情報を送信するステップ、又は、
ゲートウェイ設備を介して、同一のＬＡＮに属する前記電子設備に前記異常情報を送信するステップ、又は、
インタネットを介して、前記電子設備に前記異常情報を送信するステップを含むことを特徴とする請求項１〜４のいずれか１項に記載のモード切替方法。
【請求項７】
前記電子設備と予め結合関係を確立するステップをさらに含むことを特徴とする請求項６に記載のモード切替方法。
【請求項８】
電子設備に用いられるモード切替方法であって、
前記家電機器から送信された異常情報を受信するステップと、
前記電子設備の表示画面に前記異常情報を表示するステップと、
を含み、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替方法。
【請求項９】
前記電子設備の表示画面に前記異常情報を表示するステップは、
前記異常情報のうちの異常位置が前記家電機器の模式図に表示される場合、前記異常位置を前記家電機器の模式図における他の位置から区別表示するステップを含み、
前記区別表示は、色区別表示、動画区別表示、及び輪郭区別表示のうちの少なくとも１つを含むことを特徴とする請求項８に記載のモード切替方法。
【請求項１０】
前記家電機器から送信された異常回復情報を受信するステップと、
前記電子設備の表示画面に前記異常回復情報を表示するステップと、
をさらに含み、
前記異常回復情報は、前記家電機器が前記異常問題の回復を検出したときに送信するものであることを特徴とする請求項８に記載のモード切替方法。
【請求項１１】
前記家電機器に運転回復信号を送信するステップをさらに含み、
前記運転回復信号は、前記家電機器が前記異常位置の運転を回復するように指示するためのものであることを特徴とする請求項１０に記載のモード切替方法。
【請求項１２】
前記家電機器から送信された異常情報を受信するステップは、
前記家電機器との間に確立された無線接続によって、前記家電機器から送信された前記異常情報を受信するステップ、又は、
ゲートウェイ設備を介して、同一のＬＡＮに属する前記家電機器から送信された前記異常情報を受信するステップ、又は、
インタネットを介して、前記家電機器から送信された前記異常情報を受信するステップを含むことを特徴とする請求項８〜１１のいずれか１項に記載のモード切替方法。
【請求項１３】
前記家電機器と予め結合関係を確立するステップをさらに含むことを特徴とする請求項１２に記載のモード切替方法。
【請求項１４】
家電機器に用いられるモード切替装置であって、
自身の運転状態が異常状態にあるか否かを検出するように構成される第１の検出モジュールと、
異常状態にある場合、現在の運転モードをセーフモードに切り替えるように構成されるモード切替モジュールと、
前記セーフモードで運転するように構成されるモード運転モジュールと、
前記家電機器と電子設備が接続されている場合、前記電子設備に異常情報を送信するように構成される第１の送信モジュールと、
を含み、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替装置。
【請求項１５】
前記第１の検出モジュールは、
ハッチが開けられているか否かを検出し、前記ハッチが開けられている場合、前記家電機器が異常状態にあると特定するように構成される第１の検出サブモジュール、及び／又は、
異物が存在するか否かを検出し、異物が存在する場合、前記家電機器が異常状態にあると特定するように構成される第２の検出サブモジュール、及び／又は、
正常運転を妨げる外力があるか否かを検出し、前記外力が第１の閾値より大きい場合、前記家電機器が異常状態にあると特定するように構成される第３の検出サブモジュールを含むことを特徴とする請求項１４に記載のモード切替装置。
【請求項１６】
前記異常情報により通知される前記異常問題が解消されたか否かを検出するように構成される第２の検出モジュールと、
前記異常情報により通知される前記異常問題が解消された場合、前記電子設備に異常回復情報を送信するように構成される第２の送信モジュールと、
をさらに含み、
前記電子設備は、前記電子設備の表示画面に前記異常回復情報を表示するために用いられることを特徴とする請求項１４に記載のモード切替装置。
【請求項１７】
前記電子設備からの運転回復信号を受信するように構成される信号受信モジュールと、
前記運転回復信号に基づいて、前記異常位置の運転を回復するように構成される運転回復モジュールと、
をさらに含むことを特徴とする請求項１６に記載のモード切替装置。
【請求項１８】
前記異常情報を統計するためのサーバに前記異常情報をアップロードするように構成される情報アップロードモジュールをさらに含むことを特徴とする請求項１４〜１７のいずれか１項に記載のモード切替装置。
【請求項１９】
前記第１の送信モジュールは、
前記電子設備との間に確立された無線接続によって、前記電子設備に前記異常情報を送信するように構成される第１の送信サブモジュール、又は、
ゲートウェイ設備を介して、同一のＬＡＮに属する前記電子設備に前記異常情報を送信するように構成される第２の送信サブモジュール、又は、
インタネットを介して、前記電子設備に前記異常情報を送信するように構成される第３の送信サブモジュールを含むことを特徴とする請求項１４〜１７のいずれか１項に記載のモード切替装置。
【請求項２０】
前記電子設備と予め結合関係を確立するように構成される第１の結合モジュールをさらに含むことを特徴とする請求項１９に記載のモード切替装置。
【請求項２１】
電子設備に用いられるモード切替装置であって、
前記家電機器から送信された異常情報を受信するように構成される第１の受信モジュールと、
前記電子設備の表示画面に前記異常情報を表示するように構成される第１の表示モジュールと、
を含み、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替装置。
【請求項２２】
前記第１の表示モジュールは、
前記異常情報のうちの異常位置が前記家電機器の模式図に表示される場合、前記異常位置を前記家電機器の模式図における他の位置から区別表示するように構成される区別表示サブモジュールを含み、
前記区別表示は、色区別表示、動画区別表示、及び輪郭区別表示のうちの少なくとも１つを含むことを特徴とする請求項２１に記載のモード切替装置。
【請求項２３】
前記家電機器から送信された異常回復情報を受信するように構成される第２の受信モジュールと、
前記電子設備の表示画面に前記異常回復情報を表示するように構成される第２の表示モジュールと、
をさらに含み、
前記異常回復情報は、前記家電機器が前記異常問題の回復を検出したときに送信するものであることを特徴とする請求項２１に記載のモード切替装置。
【請求項２４】
前記家電機器に運転回復信号を送信するように構成される第３の送信モジュールをさらに含み、
前記運転回復信号は、前記家電機器が前記異常位置の運転を回復するように指示するためのものであることを特徴とする請求項２３に記載のモード切替装置。
【請求項２５】
前記第１の受信モジュールは、
前記家電機器との間に確立された無線接続によって、前記家電機器から送信された前記異常情報を受信するように構成される第１の受信サブモジュール、又は、
ゲートウェイ設備を介して、同一のＬＡＮに属する前記家電機器から送信された前記異常情報を受信するように構成される第２の受信サブモジュール、又は、
インタネットを介して、前記家電機器から送信された前記異常情報を受信するように構成される第３の受信サブモジュールを含むことを特徴とする請求項２１〜２４のいずれか１項に記載のモード切替装置。
【請求項２６】
前記家電機器と予め結合関係を確立するように構成される第２の結合モジュールをさらに含むことを特徴とする請求項２５に記載のモード切替装置。
【請求項２７】
プロセッサと、
前記プロセッサにより実行可能な命令を記憶するためのメモリと、
を含み、
前記プロセッサは、
自身の運転状態が異常状態にあるか否かを検出し、
異常状態にある場合、現在の運転モードをセーフモードに切り替え、
前記セーフモードで運転し、
前記家電機器と電子設備が接続されている場合、前記電子設備に異常情報を送信するように構成され、
前記セーフモードは、前記家電機器の電動機への電源をオフすること、警報を発すること、前記家電機器のファンの回転を停止させることのうちの少なくとも1つを含み、
前記電子設備は、前記電子設備の表示画面に前記異常情報を表示するために用いられ、前記異常情報は、異常位置、異常問題、異常時間、及び異常写真のうちの少なくとも1つを含むことを特徴とするモード切替装置。
【請求項２８】
プロセッサと、
前記プロセッサにより実行可能な命令を記憶するためのメモリと、
を含み、
前記プロセッサは、
前記家電機器から送信された異常情報を受信し、
前記電子設備の表示画面に前記異常情報を表示するように構成され、
前記異常情報は、前記家電機器が自身の運転状態が異常状態にあることを検出したときに送信するものであり、
前記異常情報は、異常位置、異常問題、異常時間、及び異常写真のうちの少なくとも1つを含むことを特徴とするモード切替装置。
【請求項２９】
プロセッサに実行されることにより、請求項１〜１３のいずれか１項に記載のモード切替方法を実現することを特徴とするプログラム。
【請求項３０】
請求項２９に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、自動制御の技術分野に属し、特に、モード切替方法、装置、プログラム、及び記録媒体に関する。
【背景技術】
【０００２】
様々な家電機器の普及に伴い、ユーザは、家電機器を使用する時、ますます家電機器の安全性を重要視する。
【０００３】
関連技術において、空気調和機、加湿器、空気清浄器などの家電機器には、通常ファンが設置されている。使用中にこのような家電機器に異常が生じることがあるが、ユーザがこの異常にすぐには気づかない場合がある。また、家電機器の異常発生時にファンが回転し続けている場合もあり、このような場合、ユーザが当該家電機器を修理する際には一定の安全上の危険が潜在する。このようなときに、ユーザは、手動で家電機器の運転モードをオフモードに調整することができる。
【０００４】
本発明者は、本発明を実現する過程において、上記関連技術には少なくとも下記の問題があることを見出した。
【０００５】
上記関連技術では、家電機器に異常が生じたときに、やはりユーザはこの異常にすぐには気づくことができない。また、家電機器の運転モードをオフモードに調整する過程が依然人手による制御であることからユーザがオフモードへの調整を忘れた場合には依然比較的大きな安全上の危険が潜在する。
【発明の概要】
【０００６】
本発明の実施例は、上記関連技術における上述した問題を解決するために、モード切替方法、装置、プログラム、及び記録媒体を提供する。その提案は、以下のとおりである。
【０００７】
本発明の実施例の第１の態様によると、家電機器に用いられるモード切替方法を提供し、当該モード切替方法は、
自身の運転状態が異常状態にあるか否かを検出するステップと、
異常状態にある場合、現在の運転モードをセーフモードに切り替えるステップと、
セーフモードで運転するステップと、
家電機器と電子設備が接続されている場合、電子設備に異常情報を送信するステップと、を含み、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【０００８】
１つの実施例において、自身の運転状態が異常状態にあるか否かを検出するステップは、
ハッチが開けられているか否かを検出し、ハッチが開けられている場合、家電機器が異常状態にあると特定するステップ、及び／又は、
異物が存在するか否かを検出し、異物が存在する場合、家電機器が異常状態にあると特定するステップ、及び／又は、
正常運転を妨げる外力があるか否かを検出し、外力が第１の閾値より大きい場合、家電機器が異常状態にあると特定するステップを含む。
【０００９】
１つの実施例において、当該モード切替方法は、
異常情報により通知される異常問題が解消されたか否かを検出するステップと、
異常情報により通知される異常問題が解消された場合、電子設備に異常回復情報を送信するステップと、をさらに含み、
電子設備は、電子設備の表示画面に異常回復情報を表示するために用いられる。
【００１０】
１つの実施例において、当該モード切替方法は、
電子設備からの運転回復信号を受信するステップと、
運転回復信号に基づいて、異常位置の運転を回復するステップと、をさらに含む。
【００１１】
１つの実施例において、当該モード切替方法は、
異常情報を統計するためのサーバに異常情報をアップロードするステップをさらに含む。
【００１２】
１つの実施例において、電子設備に異常情報を送信するステップは、
電子設備との間に確立された無線接続によって、電子設備に異常情報を送信するステップ、又は、
ゲートウェイ設備を介して、同一のＬＡＮに属する電子設備に異常情報を送信するステップ、又は、
インタネットを介して、電子設備に異常情報を送信するステップを含む。
【００１３】
１つの実施例において、当該モード切替方法は、
電子設備と予め結合関係を確立するステップをさらに含む。
【００１４】
本発明の実施例の第２の態様によると、電子設備に用いられるモード切替方法を提供し、当該モード切替方法は、
家電機器から送信された異常情報を受信するステップと、
電子設備の表示画面に異常情報を表示するステップと、を含み、
異常情報は、家電機器が自身の運転状態が異常状態にあることを検出したときに送信するものであり、
異常情報は、異常位置、異常問題、異常時間、及び異常写真のうちの少なくとも1つを含む。
【００１５】
１つの実施例において、電子設備の表示画面に異常情報を表示するステップは、
異常情報のうちの異常位置が家電機器の模式図に表示される場合、異常位置を家電機器の模式図における他の位置から区別表示するステップを含み、
区別表示は、色区別表示、動画区別表示、及び輪郭区別表示のうちの少なくとも１つを含む。
【００１６】
１つの実施例において、当該モード切替方法は、
家電機器から送信された異常回復情報を受信するステップと、
電子設備の表示画面に異常回復情報を表示するステップと、をさらに含み、
異常回復情報は、家電機器が異常問題の回復を検出したときに送信するものである。
【００１７】
１つの実施例において、当該モード切替方法は、
家電機器に運転回復信号を送信するステップをさらに含み、
運転回復信号は、家電機器が異常位置の運転を回復するように指示するためのものである。
【００１８】
１つの実施例において、家電機器から送信された異常情報を受信するステップは、
家電機器との間に確立された無線接続によって、家電機器から送信された異常情報を受信するステップ、又は、
ゲートウェイ設備を介して、同一のＬＡＮに属する家電機器から送信された異常情報を受信するステップ、又は、
インタネットを介して、家電機器から送信された異常情報を受信するステップを含む。
【００１９】
１つの実施例において、当該モード切替方法は、
家電機器と予め結合関係を確立するステップをさらに含む。
【００２０】
本発明の実施例の第３の態様によると、家電機器に用いられるモード切替装置を提供し、当該モード切替装置は、
自身の運転状態が異常状態にあるか否かを検出するように構成される第１の検出モジュールと、
異常状態にある場合、現在の運転モードをセーフモードに切り替えるように構成されるモード切替モジュールと、
セーフモードで運転するように構成されるモード運転モジュールと、
家電機器と電子設備が接続されている場合、電子設備に異常情報を送信するように構成される第１の送信モジュールと、を含み、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【００２１】
１つの実施例において、第１の検出モジュールは、
ハッチが開けられているか否かを検出し、ハッチが開けられている場合、家電機器が異常状態にあると特定するように構成される第１の検出サブモジュール、及び／又は、
異物が存在するか否かを検出し、異物が存在する場合、家電機器が異常状態にあると特定するように構成される第２の検出サブモジュール、及び／又は、
正常運転を妨げる外力があるか否かを検出し、外力が第１の閾値より大きい場合、家電機器が異常状態にあると特定するように構成される第３の検出サブモジュールを含む。
【００２２】
１つの実施例において、当該モード切替装置は、
異常情報により通知される異常問題が解消されたか否かを検出するように構成される第２の検出モジュールと、
異常情報により通知される異常問題が解消された場合、電子設備に異常回復情報を送信するように構成される第２の送信モジュールと、をさらに含み、
電子設備は、電子設備の表示画面に異常回復情報を表示するために用いられる。
【００２３】
１つの実施例において、当該モード切替装置は、
電子設備からの運転回復信号を受信するように構成される信号受信モジュールと、
運転回復信号に基づいて、異常位置の運転を回復するように構成される運転回復モジュールと、をさらに含む。
【００２４】
１つの実施例において、当該モード切替装置は、
異常情報を統計するためのサーバに異常情報をアップロードするように構成される情報アップロードモジュールをさらに含む。
【００２５】
１つの実施例において、第１の送信モジュールは、
電子設備との間に確立された無線接続によって、電子設備に異常情報を送信するように構成される第１の送信サブモジュール、又は、
ゲートウェイ設備を介して、同一のＬＡＮに属する電子設備に異常情報を送信するように構成される第２の送信サブモジュール、又は、
インタネットを介して、電子設備に異常情報を送信するように構成される第３の送信サブモジュールを含む。
【００２６】
１つの実施例において、当該モード切替装置は、
電子設備と予め結合関係を確立するように構成される第１の結合モジュールをさらに含む。
【００２７】
本発明の実施例の第４の態様によると、電子設備に用いられるモード切替装置を提供し、当該モード切替装置は、
家電機器から送信された異常情報を受信するように構成される第１の受信モジュールと、
電子設備の表示画面に異常情報を表示するように構成される第１の表示モジュールと、を含み、
異常情報は、家電機器が自身の運転状態が異常状態にあることを検出したときに送信するものであり、
異常情報は、異常位置、異常問題、異常時間、及び異常写真のうちの少なくとも1つを含む。
【００２８】
１つの実施例において、第１の表示モジュールは、
異常情報のうちの異常位置が家電機器の模式図に表示される場合、異常位置を家電機器の模式図における他の位置から区別表示するように構成される区別表示サブモジュールを含み、
区別表示は、色区別表示、動画区別表示、及び輪郭区別表示のうちの少なくとも１つを含む。
【００２９】
１つの実施例において、当該モード切替装置は、
家電機器から送信された異常回復情報を受信するように構成される第２の受信モジュールと、
電子設備の表示画面に異常回復情報を表示するように構成される第２の表示モジュールと、をさらに含み、
異常回復情報は、家電機器が異常問題の回復を検出したときに送信するものである。
【００３０】
１つの実施例において、当該モード切替装置は、
家電機器に運転回復信号を送信するように構成される第３の送信モジュールをさらに含み、
運転回復信号は、家電機器が異常位置の運転を回復するように指示するためのものである。
【００３１】
１つの実施例において、第１の受信モジュールは、
家電機器との間に確立された無線接続によって、家電機器から送信された異常情報を受信するように構成される第１の受信サブモジュール、又は、
ゲートウェイ設備を介して、同一のＬＡＮに属する家電機器から送信された異常情報を受信するように構成される第２の受信サブモジュール、又は、
インタネットを介して、家電機器から送信された異常情報を受信するように構成される第３の受信サブモジュールを含む。
【００３２】
１つの実施例において、当該モード切替装置は、
家電機器と予め結合関係を確立するように構成される第２の結合モジュールをさらに含む。
【００３３】
本発明の実施例の第５の態様によると、家電機器に用いられるモード切替装置を提供し、当該モード切替装置は、
プロセッサと、
プロセッサにより実行可能な命令を記憶するためのメモリと、を含み、
プロセッサは、
自身の運転状態が異常状態にあるか否かを検出し、
異常状態にある場合、現在の運転モードをセーフモードに切り替え、
セーフモードで運転し、
家電機器と電子設備が接続されている場合、電子設備に異常情報を送信するように構成され、
セーフモードは、家電機器の電動機への電源をオフすること、警報を発すること、家電機器のファンの回転を停止させることのうちの少なくとも1つを含み、
電子設備は、電子設備の表示画面に異常情報を表示するために用いられ、異常情報は、異常位置、異常問題、異常時間、及び異常写真のうちの少なくとも1つを含む。
【００３４】
本発明の実施例の第６の態様によると、電子設備に用いられるモード切替装置を提供し、当該モード切替装置は、
プロセッサと、
プロセッサにより実行可能な命令を記憶するためのメモリと、を含み、
プロセッサは、
家電機器から送信された異常情報を受信し、
電子設備の表示画面に異常情報を表示するように構成され、
異常情報は、家電機器が自身の運転状態が異常状態にあることを検出したときに送信するものであり、
異常情報は、異常位置、異常問題、異常時間、及び異常写真のうちの少なくとも1つを含む。
本発明の実施例の第７の態様によると、プログラムを提供し、当該プログラムは、プロセッサに実行されることにより、上記モード切替方法を実現する。
本発明の実施例の第８の態様によると、記録媒体を提供し、当該記録媒体には、上記プログラムが記録されている。
【００３５】
本発明の実施例に係る提案は、以下の有益な効果を有する。
【００３６】
本発明の実施例に係る提案では、自身の運転状態が異常状態にあるか否かを検出し、異常状態にある場合、現在の運転モードをセーフモードに切り替え、セーフモードで運転し、家電機器と電子設備が接続されている場合には、電子設備に異常情報を送信する。これにより、ユーザが家電機器の異常にすぐに気づくことができないこと、および、ユーザが家電機器の運転モードをオフモードに調整することを忘れることで依然比較的大きな安全上の危険が潜在するという問題を解決する。つまり、ユーザが家電機器の異常をすぐに気づくことができるようにし、家電機器の損害程度を効果的に低減させ、ユーザによる家電機器の使用時の安全上の潜在的危険を効果的に低減させるという効果を達成できる。
【００３７】
以上の一般的な記述と、以下の詳細の記述は、例示的なものに過ぎず、本発明を限定するものではないことを理解すべきである。
【図面の簡単な説明】
【００３８】
以下に示す図面は、明細書に組み込まれて本明細書の一部分を構成し、本発明に該当する実施例を例示するとともに、明細書とともに本発明の原理について説明するためのものである。
【図１】一例示的な実施例に係るモード切替方法のフロー図である。
【図２】別の例示的な実施例に係るモード切替方法のフロー図である。
【図３Ａ】さらに別の例示的な実施例に係るモード切替方法のフロー図である。
【図３Ｂ】さらに別の例示的な実施例に係るモード切替方法に関する画面模式図である。
【図３Ｃ】さらに別の例示的な実施例に係るモード切替方法に関する別の画面模式図である。
【図４】さらに別の例示的な実施例に係るモード切替方法のフロー図である。
【図５】一例示的な実施例に係るモード切替装置のブロック図である。
【図６】別の例示的な実施例に係るモード切替装置のブロック図である。
【図７】さらに別の例示的な実施例に係るモード切替装置のブロック図である。
【図８】さらに別の例示的な実施例に係るモード切替装置のブロック図である。
【図９】一例示的な実施例に係るモード切替装置のブロック図である。
【図１０】別の例示的な実施例に係るモード切替装置のブロック図である。
【００３９】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００４０】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００４１】
本発明の各実施例において、家電機器は、扇風機、空気調和機、加湿器、空気清浄器のうちのいずれか１つである。本発明の各実施例において、電子設備は、携帯電話、タブレットパソコン、電子書籍リーダ、ＭＰ３プレイヤ（Ｍｏｖｉｎｇ Ｐｉｃｔｕｒｅ Ｅｘｐｅｒｔｓ Ｇｒｏｕｐ Ａｕｄｉｏ Ｌａｙｅｒ III）、ＭＰ４プレイヤ（Ｍｏｖｉｎｇ Ｐｉｃｔｕｒｅ Ｅｘｐｅｒｔｓ Ｇｒｏｕｐ Ａｕｄｉｏ Ｌａｙｅｒ IV）、スマートテレビ、ポータブルラップトップコンピュータ、デスクトップコンピュータなどである。
【００４２】
図１は、一例示的な実施例に係るモード切替方法のフロー図である。本実施例は、当該モード切替方法が家電機器に応用されることを例として説明する。当該モード切替方法は、以下のステップを含むことができる。
【００４３】
ステップ１０２において、自身の運転状態が異常状態にあるか否かを検出する。
【００４４】
ステップ１０４において、異常状態にある場合、現在の運転モードをセーフモードに切り替える。
【００４５】
ステップ１０６において、セーフモードで運転する。当該セーフモードは、家電機器の電動機への電源をオフすること、警報を発すること、家電機器のファンの回転を停止させることのうちの少なくとも1つを含む。
【００４６】
ステップ１０８において、家電機器と電子設備が接続されている場合、電子設備に異常情報を送信する。当該電子設備は、電子設備の表示画面に異常情報を表示する。当該異常情報は、異常位置、異常問題、異常時間、及び異常写真のうちの少なくとも1つを含む。
【００４７】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、ユーザが家電機器の運転モードをオフモードに調整することを忘れた場合に依然比較的大きな安全上の危険が潜在するという問題を解決する。つまり、ユーザが家電機器の異常をすぐに気づくことができるようにして家電機器の損害程度を効果的に低減させるとともに、ユーザによる家電機器の使用時の安全上の潜在的危険を効果的に低減させるという効果を達成できる。
【００４８】
図２は、別の例示的な実施例に係るモード切替方法のフロー図である。本実施例は、当該モード切替方法が電子設備に応用されることを例として説明する。当該モード切替方法は、以下のステップを含むことができる。
【００４９】
ステップ２０２において、家電機器から送信された異常情報を受信する。当該異常情報は、家電機器が自身の運転状態が異常状態にあることを検出したときに送信するものである。
ステップ２０４において、電子設備の表示画面に異常情報を表示する。当該異常情報は、異常位置、異常問題、異常時間、及び異常写真のうちの少なくとも1つを含む。
【００５０】
要するに、本実施例に係るモード切替方法によると、家電機器から送信された異常情報を受信し、異常情報を電子設備の表示画面に表示することによって、ユーザが家電機器の異常にすぐに気づくことができないこと、及び、家電機器の運転モードをオフモードに調整することを忘れた場合、相変らず比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【００５１】
図３Ａは、別の例示的な実施例に係るモード切替方法のフロー図である。本実施例は、当該モード切替方法が家電機器と電子設備に応用されることを例として説明する。当該モード切替方法は、以下のステップを含むことができる。
【００５２】
ステップ３０１において、電子設備と家電機器との結合関係を予め確立する。
【００５３】
電子設備は、家電機器識別子と電子設備識別子に基づいて、電子設備と家電機器との結合関係（バインディング関係）を確立することができる。家電機器は、結合関係が確立された電子設備から送信される制御信号のみを受信する。
【００５４】
例えば、家電機器が空気清浄器であり、電子設備がスマートフォンである場合、空気清浄器の表面に二次元コード識別子があると、スマートフォンは、当該二次元コード識別子を走査することにより空気清浄器識別子を取得することができ、取得した空気清浄器識別子と自身の識別子に基づいて、空気清浄器とスマートフォンとの結合関係を確立することができる。空気清浄器は、結合関係が確立された電子設備から送信される制御信号のみを受信する。
【００５５】
ステップ３０２において、家電機器は、自身の運転状態が異常状態にあるか否かを検出する。
【００５６】
家電機器は、運転中に自身の運転状態が異常状態にあるか否かを検出する。
【００５７】
例えば、家電機器が空気清浄器である場合、空気清浄器は、運転中に自身の運転状態が異常状態にあるか否かを検出する。
【００５８】
第１の可能な実現方式として、当該ステップは、以下のサブステップを含むが、それらに限らない。
【００５９】
１．家電機器は、ハッチが開けられているか否かを検出する。
家電機器におけるハッチは、上面ベーンハッチ、下面ハッチ、裏面フィルタコアハッチのうちの少なくとも１つを含む。これらのハッチは、いずれも開けられるものである。家電機器のこれらのハッチに、Ｒ型スイッチ、マイクロスイッチ、マグネチックスイッチのうちのいずれか１つを予め取り付けることができる。いずれか１つのハッチが開けられると、上記スイッチがトリガーされる。家電機器は、上記いずれか１つのスイッチがトリガーされたか否かにより、ハッチが開けられているか否かを検出する。
例えば、家電機器が空気清浄器である場合、空気清浄器は、ハッチが開けられているか否かを検出する。
【００６０】
２．ハッチが開けられている場合、家電機器が異常状態にあると特定する。
家電機器において、いずれか１つのハッチが開けられている場合、当該家電機器が異常状態にあると特定する。
例えば、家電機器が空気清浄器であり、空気清浄器のいずれか１つのハッチが開けられていると、当該空気清浄器が異常状態にあると特定する。
【００６１】
第２の可能な実現方式として、当該ステップは、以下のサブステップを含むが、それらに限らない。
【００６２】
１．家電機器は、異物が存在するか否かを検出する。
家電機器のグリルに異物が存在する場合がある。家電機器は、異物が存在するか否かを検出する。
例えば、家電機器が空気清浄器である場合、空気清浄器は、異物が存在するか否かを検出する。
【００６３】
２．異物が存在する場合、家電機器が異常状態にあると特定する。
グリルに異物が存在する場合、当該家電機器が異常状態にあると特定する。
例えば、家電機器が空気清浄器であり、空気清浄器のグリルに異物が存在する場合、当該空気清浄器が異常状態にあると特定する。
【００６４】
第３の可能な実現方式として、当該ステップは、以下のサブステップを含むが、それらに限らない。
【００６５】
１．家電機器は、正常運転を妨げる外力が存在するか否かを検出する。
家電機器において、正常運転を妨げる外力が存在することは、２つの可能性がある。
（１）重力による押圧
例えば、排気口に重物が置かれた場合、浄化効率に深刻な影響を与え、家電機器の正常運転を妨げる。
（２）過大気圧
例えば、排気口から壁までの距離が非常に近い場合、壁の反射により、気圧が過大となり、家電機器の正常運転を妨げる。
例えば、家電機器が空気清浄器である場合、空気清浄器は、正常運転を妨げる外力が存在するか否かを検出する。
【００６６】
２．外力が第１の閾値より大きい場合、家電機器が異常状態にあると特定する。
ここで、第１の閾値は、ユーザが状況に応じて設定したものであってもよく、設備保守者が予め設定したものであってもよい。
例えば、家電機器が空気清浄器であり、外力が第１の閾値より大きい場合、空気清浄器が異常状態にあると特定する。
【００６７】
上記３種類の可能な実現方式は、そのうちの一つのみを実行してもよく、任意の２種類の実現方式を組み合わせて実行してもよく、３種類の実現方式を組み合わせて実行してもよい。いずれか１つの実現方式に該当する状況が発生すれば、家電機器が異常状態にあると特定する。
【００６８】
ステップ３０３において、異常状態にある場合、家電機器は、現在の運転モードをセーフモードに切り替える。
【００６９】
家電機器は、異常状態にある場合、現在の運転モードをセーフモードに切り替える。
【００７０】
例えば、家電機器が空気清浄器であり、空気清浄器が異常状態にある場合、現在の運転モードをセーフモードに切り替える。
【００７１】
ステップ３０４において、家電機器は、セーフモードで運転する。当該セーフモードは、家電機器の電動機への電源をオフすること、警報を発すること、家電機器のファンの回転を停止させることのうちの少なくとも1つを含む。
【００７２】
ハッチが開けられていたり正常運転を妨げる外力が存在することにより家電機器が異常状態になる場合、家電機器は、現在の電動機への電源をオフするとともに、警報を発することができる。現在の電動機への電源がオフされると、ファンは、相変らず運転状態にあるが、回転速度が遅くなる。
【００７３】
グリルに異物が存在することにより家電機器が異常状態になる場合、家電機器は、現在の電動機への電源をオフするともに、警報を発することができる。家電機器は、回転軸のロックをトリガーして、ファンの回転をすぐに停止させることもできる。
【００７４】
当該家電機器ファンが２つ以上あり、上面グリルに異物が存在することにより家電機器が異常状態になる場合、当該箇所の上面ファンの回転をすぐに停止させてもよく、設備の全てのファンの回転を停止させてもよい。下面グリルに異物が存在することにより家電機器が異常状態になる場合、当該箇所の下面ファンの回転をすぐに停止させてもよく、設備の全てのファンの回転を停止させてもよい。
【００７５】
例えば、家電機器が空気清浄器である場合、空気清浄器は、セーフモードで運転する。
【００７６】
ステップ３０５において、家電機器と電子設備が接続されている場合、家電機器は、電子設備に異常情報を送信する。当該電子設備は、電子設備の表示画面に異常情報を表示する。当該異常情報は、異常位置、異常問題、異常時間、及び異常写真のうちの少なくとも1つを含む。
【００７７】
家電機器の所在エリア又は家電機器の異常位置にカメラが設けられている場合、電子設備は、家電機器がカメラで撮影した異常位置に対応する異常情報を受信することができる。
【００７８】
例えば、家電機器が空気清浄器であり、空気清浄器の所在エリア又は空気清浄器の異常位置にカメラが設けられている場合、空気清浄器は、電子設備に異常情報を送信する。
【００７９】
当該ステップ３０５は、以下の３種類の実現方式を含むことができる。
【００８０】
第１の可能な実現方式として、家電機器は、電子設備との間に確立された無線接続によって、電子設備に異常情報を送信する。当該無線接続は、ブルーティース接続やＷｉＦｉ（Ｗｉｒｅｌｅｓｓ-Ｆｉｄｅｌｉｔｙ）接続である。
【００８１】
例えば、家電機器が空気清浄器である場合、空気清浄器は、電子設備との間に確立された無線接続によって、電子設備に異常情報を送信する。
【００８２】
第２の可能な実現方式として、家電機器は、ゲートウェイ設備を介して、同一のＬＡＮに属する電子設備に異常情報を送信する。すなわち、家電機器と電子設備は同一のＬＡＮにあり、家電機器と電子設備はゲートウェイ設備を介して通信可能である。
【００８３】
例えば、家電機器が空気清浄器である場合、空気清浄器は、ゲートウェイ設備を介して、同一のＬＡＮに属する電子設備に異常情報を送信する。
【００８４】
第３の可能な実現方式として、家電機器は、インタネットを介して、電子設備に異常情報を送信する。
【００８５】
例えば、家電機器が空気清浄器である場合、空気清浄器は、インタネットを介して、電子設備に異常情報を送信する。
【００８６】
ステップ３０６において、電子設備は、家電機器から送信された異常情報を受信する。
【００８７】
家電機器と電子設備が接続されている場合、電子設備は、家電機器から送信された異常情報を受信する。
【００８８】
例えば、家電機器が空気清浄器であり、空気清浄器と電子設備が接続されている場合、電子設備は、空気清浄器から送信された異常情報を受信する。
【００８９】
当該ステップ３０６は、以下３種類の実現方式を含むことができる。
【００９０】
第１の可能な実現方式として、電子設備は、家電機器との間に確立された無線接続によって、家電機器から送信された異常情報を受信する。当該無線接続は、ブルーティース接続やＷｉＦｉ接続である。
【００９１】
第２の可能な実現方式として、電子設備は、ゲートウェイ設備を介して、同一のＬＡＮに属する家電機器から送信された異常情報を受信する。すなわち、家電機器と電子設備は同一のＬＡＮにあり、家電機器と電子設備はゲートウェイ設備を介して通信可能である。
【００９２】
第３の可能な実現方式として、電子設備は、インタネットを介して、家電機器から送信された異常情報を受信する。
【００９３】
ステップ３０７において、電子設備は、電子設備の表示画面に異常情報を表示する。当該異常情報は、異常位置、異常問題、異常時間、異常写真のうちの少なくとも１つを含む。
【００９４】
例えば、電子設備がスマートフォンである場合、スマートフォンの表示画面に異常情報を表示する。当該異常情報は、異常位置、異常問題、異常時間、異常写真のうちの少なくとも１つを含む。
異常情報が異常位置、異常問題、異常時間のうちの少なくとも１つを含む場合、電子設備の表示画面に文字で当該異常情報を表示する。
【００９５】
異常情報が異常写真を含む場合、電子設備の表示画面にイメージで当該異常情報を表示する。
【００９６】
例えば、図３Ｂを参照すると、電子設備の表示画面３０にイメージ３１で当該異常情報を表示する画面模式図を示す。当該異常問題３２は、当該家電機器のリアハッチが開けられていることである。
【００９７】
異常情報のうちの異常位置が家電機器の模式図に表示される場合、異常位置を家電機器の模式図における他の位置から区別表示する。当該区別表示は、色区別表示、動画区別表示、及び輪郭区別表示のうちの少なくとも１つを含む。
【００９８】
例えば、図３Ｃを参照すると、電子設備の表示画面３０に家電機器の模式図３３で当該異常情報を表示する画面模式図を示す。当該異常問題３４は、家電機器のリアハッチが開けられていることである。家電機器の模式図３３において、色により、異常位置であるリアハッチを家電機器の模式図における他の位置から区別表示する。図３Ｃに示すように、異常位置であるリアハッチは、黒色で表示され、他の位置は、白色で表示される。
【００９９】
例えば、家電機器が空気清浄器であり、異常情報のうちの異常位置が空気清浄器の模式図に表示される場合、異常位置を空気清浄器の模式図における他の位置から区別表示する。
【０１００】
ステップ３０８において、家電機器は、異常情報をサーバにアップロードする。当該サーバは、異常情報を統計する。
【０１０１】
当該ステップ３０８は、ステップ３０５以降の任意の時点で実行してもよい。
【０１０２】
例えば、家電機器が空気清浄器である場合、空気清浄器は、異常情報をサーバにアップロードする。当該サーバは、異常情報を統計する。
【０１０３】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし家電機器の損害程度を効果的に低減させるとともに、ユーザによる家電機器の使用時の安全上の潜在的危険を効果的に低減させるという効果を達成できる。
【０１０４】
本実施例に係るモード切替方法によると、さらに、異常情報を統計するためのサーバに異常情報をアップロードすることにより、メーカがサーバを通じて家電機器の異常情報を把握して統計できるようにするという効果を達成できる。
【０１０５】
図４は、さらに別の例示的な実施例に係るモード切替方法のフロー図である。本実施例は、当該モード切替方法が家電機器と電子設備に応用されることを例として説明する。当該モード切替方法は、以下のステップを含むことができる。
【０１０６】
ステップ４０１において、電子設備と家電機器が予め結合関係を確立する。
【０１０７】
電子設備は、家電機器識別子と電子設備識別子に基づいて、家電機器と電子設備の結合関係を確立することができる。家電機器は、結合関係が確立された電子設備から送信される制御信号のみを受信する。
【０１０８】
例えば、電子設備がスマートテレビである場合、スマートテレビは、家電機器識別子と自身の識別子に基づいて、家電機器とスマートテレビの結合関係を確立することができる。家電機器は、結合関係が確立されたスマートテレビから送信される制御信号のみを受信する。
【０１０９】
ステップ４０２において、家電機器は、自身の運転状態が異常状態にあるか否かを検出する。
【０１１０】
家電機器は、運転中に自身の運転状態が異常状態にあるか否かを検出する。
【０１１１】
当該ステップ４０２に含まれる可能な実現方式は、上記実施例におけるステップ３０２の実現方式と同一であるため、ここでは繰り返して説明しない。
【０１１２】
ステップ４０３において、異常状態にある場合、家電機器は、現在の運転モードをセーフモードに切り替える。
【０１１３】
ステップ４０４において、家電機器は、セーフモードで運転する。当該セーフモードは、家電機器の電動機への電源をオフすること、警報を発すること、家電機器のファンの回転を停止させることのうちの少なくとも1つを含む。
【０１１４】
ハッチが開けられていたり正常運転を妨げる外力が存在することにより家電機器が異常状態になる場合、家電機器は、現在の電動機への電源をオフするとともに、警報を発することができる。現在の電動機への電源がオフされると、ファンは、依然運転状態にあるが、回転速度が遅くなる。
【０１１５】
グリルに異物が存在することにより家電機器が異常状態になる場合、家電機器は、現在の電動機への電源をオフするとともに、警報を発することができる。家電機器は、回転軸のロックをトリガーして、ファンの回転をすぐに停止させることもできる。
【０１１６】
当該家電機器ファンが２つ以上あり、上面グリルに異物が存在することにより家電機器が異常状態になる場合、当該箇所の上面ファンの回転をすぐに停止させてもよく、設備の全てのファンの回転を停止させてもよい。下面グリルに異物が存在することにより家電機器が異常状態になる場合、当該箇所の下面ファンの回転をすぐに停止させてもよく、設備の全てのファンの回転を停止させてもよい。
【０１１７】
ステップ４０５において、家電機器と電子設備が接続されている場合、家電機器は、電子設備に異常情報を送信する。当該電子設備は、電子設備の表示画面に異常情報を表示する。当該異常情報は、異常位置、異常問題、異常時間、及び異常写真のうちの少なくとも1つを含む。
【０１１８】
家電機器の所在エリア又は家電機器の異常位置にカメラが設けられている場合、家電機器は、カメラで異常位置を撮影し、異常位置に対応する異常情報を電子設備に送信することができる。
【０１１９】
当該ステップ４０５は、以下の３種類の実現方式を含むことができる。
【０１２０】
第１の可能な実現方式として、家電機器は、電子設備との間に確立された無線接続によって、電子設備に異常情報を送信する。当該無線接続は、ブルーティース接続やＷｉＦｉ接続である。
【０１２１】
第２の可能な実現方式として、家電機器は、ゲートウェイ設備を介して、同一のＬＡＮに属する電子設備に異常情報を送信する。すなわち、家電機器と電子設備は同一のＬＡＮにあり、家電機器と電子設備はゲートウェイ設備を介して通信可能である。
【０１２２】
第３の可能な実現方式として、家電機器は、インタネットを介して、電子設備に異常情報を送信する。
【０１２３】
ステップ４０６において、電子設備は、家電機器から送信された異常情報を受信する。
【０１２４】
家電機器と電子設備が接続されている場合、電子設備は、家電機器から送信された異常情報を受信する。
【０１２５】
当該ステップ４０６は、以下３種類の実現方式を含むことができる。
【０１２６】
第１の可能な実現方式として、電子設備は、家電機器との間に確立された無線接続によって、家電機器から送信された異常情報を受信する。当該無線接続は、ブルーティース接続やＷｉＦｉ接続である。
【０１２７】
第２の可能な実現方式として、電子設備は、ゲートウェイ設備を介して、同一のＬＡＮに属する家電機器から送信された異常情報を受信する。すなわち、家電機器と電子設備は同一のＬＡＮにあり、家電機器と電子設備はゲートウェイ設備を介して通信可能である。
【０１２８】
第３の可能な実現方式として、電子設備は、インタネットを介して、家電機器から送信された異常情報を受信する。
【０１２９】
ステップ４０７において、電子設備は、電子設備の表示画面に異常情報を表示する。当該異常情報は、異常位置、異常問題、異常時間、異常写真のうちの少なくとも１つを含む。
【０１３０】
例えば、電子設備がスマートテレビである場合、スマートテレビの表示画面に異常情報を表示する。当該異常情報は、異常位置、異常問題、異常時間、異常写真のうちの少なくとも１つを含む。
【０１３１】
異常情報が異常位置、異常問題、異常時間のうちの少なくとも１つを含む場合、電子設備の表示画面に文字で当該異常情報を表示する。
【０１３２】
異常情報が異常写真を含む場合、電子設備の表示画面にイメージで当該異常情報を表示する。
【０１３３】
異常情報のうちの異常位置が家電機器の模式図に表示される場合、異常位置を家電機器の模式図における他の位置から区別表示する。当該区別表示は、色区別表示、動画区別表示、及び輪郭区別表示のうちの少なくとも１つを含む。
【０１３４】
ステップ４０８において、家電機器は、異常情報により通知される異常問題が解消されたか否かを検出する。
【０１３５】
家電機器の所在エリア又は家電機器の異常位置にカメラが設けられている場合、家電機器は、カメラで異常位置を撮影することができる。当該異常位置が回復され正常になると、異常問題が解消されたことを表す。
【０１３６】
ステップ４０９において、異常情報により通知される異常問題が解消された場合、家電機器は、異常回復情報を電子設備に送信する。当該電子設備は、電子設備の表示画面に異常回復情報を表示するために用いられる。
【０１３７】
ステップ４１０において、電子設備は、家電機器から送信された異常回復情報を受信する。
【０１３８】
ステップ４１１において、電子設備は、電子設備の表示画面に異常回復情報を表示する。
【０１３９】
例えば、電子設備がスマートテレビである場合、スマートテレビの表示画面に異常回復情報を表示する。
【０１４０】
異常回復情報が異常回復位置、異常回復問題、及び異常回復時間のうちの少なくとも１つを含む場合、電子設備の表示画面に文字で当該異常回復情報を表示する。ユーザは、当該異常回復情報をもとに、異常情報と比較することができる。
【０１４１】
異常回復情報が異常回復写真を含む場合、電子設備の表示画面にイメージで当該異常回復情報を表示する。ユーザは、当該異常回復情報をもとに、異常情報と比較することができる。
【０１４２】
異常回復情報のうちの異常回復位置が家電機器の模式図に表示される場合、異常回復位置と家電機器の模式図における他の位置をいずれも正常に表示する。ユーザは、当該異常回復情報をもとに、異常情報と比較することができる。
【０１４３】
ステップ４１２において、電子設備は、家電機器が異常位置の運転を回復するように指示するための運転回復信号を家電機器に送信する。
【０１４４】
電子設備は、家電機器に運転回復信号を送信する。当該運転回復信号は、ユーザが家電機器の模式図における異常回復位置をクリックするとトリガーされる。
【０１４５】
例えば、異常回復問題は、家電機器の上面ベーンハッチが閉じられたことであるとする。上面ベーンハッチが閉じられ、ユーザが家電機器の模式図における上面ベーンハッチの位置をクリックすると、電子設備から家電機器への運転回復信号の送信がトリガーされる。当該運転回復信号は、上面ベーンハッチにおける電動機への電源供給を回復させるためのものである。
【０１４６】
例えば、異常回復問題は、家電機器の上面グリルにおける異物が取り除かれたことであるとする。当該異物が取り除かれ、ユーザが家電機器の模式図における上面グリルの位置をクリックすると、電子設備から家電機器への運転回復信号の送信がトリガーされる。当該運転回復信号は、上面グリルにおけるファンの回転を回復させるためのものである。
【０１４７】
例えば、異常回復問題は、家電機器の上面グリルにおいて、家電機器の正常運転を妨げる重量物が持ち去られたとする。重量物が持ち去られて家電機器の正常運転を妨げなくなり、ユーザが家電機器の模式図における上面グリルの位置をクリックすると、電子設備から家電機器への運転回復信号の送信がトリガーされる。当該運転回復信号は、上面グリルにおける電動機への電源供給を回復させるためのものである。
【０１４８】
ステップ４１３において、家電機器は、電子設備からの運転回復信号を受信する。
【０１４９】
例えば、異常問題は、家電機器の上面ベーンハッチが開けられていることであるとする。上面ベーンハッチが閉じられると、家電機器は、電子設備から送信される運転回復信号を受信する。
【０１５０】
例えば、異常問題は、家電機器の上面グリルに異物があることであるとする。当該異物が取り除かれると、家電機器は、電子設備から送信される運転回復信号を受信する。
【０１５１】
例えば、異常問題は、家電機器の上面グリルに家電機器の正常運転を妨げる重量物があるとする。重量物が持ち去られて家電機器の正常運転を妨げなくなると、家電機器は、電子設備から送信される運転回復信号を受信する。
【０１５２】
ステップ４１４において、家電機器は、運転回復信号に基づいて異常位置の運転を回復する。
【０１５３】
例えば、異常位置は、家電機器の上面ベーンハッチの位置であり、異常問題は、上面ベーンハッチが開けられていることであるとする。異常問題が解消されると、即ち上面ベーンハッチが閉じられると、家電機器は、運転回復信号に基づいて異常位置の運転を回復する。即ち、家電機器は、運転回復信号に基づいて、上面ベーンハッチにおける電動機への電源供給を回復する。
【０１５４】
例えば、異常位置は、家電機器の上面グリルの位置であり、異常問題は、上面グリルに異物があることであるとする。異常問題が解消されると、即ち当該異物が取り除かれると、家電機器は、運転回復信号に基づいて異常位置の運転を回復する。即ち、家電機器は、運転回復信号に基づいて、上面グリルにおけるファンの回転を回復させる。
【０１５５】
例えば、異常位置は、家電機器の上面グリルの位置であり、異常問題は、上面グリルに重量物があり、且つ当該家電機器の正常運転を妨げることであるとする。異常問題が解消されると、即ち重量物が持ち去られて家電機器の正常運転を妨げなくなると、家電機器は、運転回復信号に基づいて異常位置の運転を回復する。即ち、家電機器は、運転回復信号に基づいて、上面グリルにおける電動機への電源供給を回復する。
【０１５６】
ステップ４１５において、家電機器は、異常情報を統計するためのサーバに異常情報をアップロードする。
【０１５７】
当該ステップ４１５は、ステップ４０５以降の任意の時点に実行してもよい。
【０１５８】
要するに、本実施例に係るモード切替方法によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１５９】
本実施例に係るモード切替方法によると、さらに、異常情報により通知される異常問題が解消されたか否かを検出し、異常情報により通知される異常問題が解消された場合、電子設備に異常回復情報を送信することによって、異常問題が解消されたか否かをリアルタイムにモニタリングできるという効果を達成できる。
【０１６０】
本実施例に係るモード切替方法によると、さらに、電子設備からの運転回復信号を受信し、運転回復信号に基づいて異常位置の運転を回復することによって、手動で運転を回復する必要がなく、自動に運転を回復できるという効果を達成できる。
【０１６１】
本実施例に係るモード切替方法によると、さらに、異常情報を統計するためのサーバに異常情報をアップロードすることにより、メーカがサーバを通じて家電機器の異常情報を把握して統計できるようにするという効果を達成できる。
【０１６２】
以下は、本発明の装置の実施例であり、本発明の方法の実施例を実行できる。本発明の装置の実施例で開示されない細部は、本発明の方法の実施例を参照されたい。
【０１６３】
図５は、一例示的な実施例に係るモード切替装置のブロック図である。当該モード切替装置は、ソフトウェア、ハードウェア、又は両者の組み合わせにより、家電機器の一部又は全部を実現することができる。当該モード切替装置は、第１の検出モジュール５２０と、モード切替モジュール５４０と、モード運転モジュール５６０と、第１の送信モジュール５８０とを含む。
【０１６４】
第１の検出モジュール５２０は、自身の運転状態が異常状態にあるか否かを検出するように構成される。
【０１６５】
モード切替モジュール５４０は、異常状態にある場合、現在の運転モードをセーフモードに切り替えるように構成される。
【０１６６】
モード運転モジュール５６０は、セーフモードで運転するように構成される。当該セーフモードは、家電機器の電動機への電源をオフすること、警報を発すること、家電機器のファンの回転を停止させることのうちの少なくとも1つを含む。
【０１６７】
第１の送信モジュール５８０は、家電機器と電子設備が接続されている場合、電子設備に異常情報を送信するように構成される。当該電子設備は、電子設備の表示画面に異常情報を表示する。当該異常情報は、異常位置、異常問題、異常時間、及び異常写真のうちの少なくとも1つを含む。
【０１６８】
要するに、本実施例に係るモード切替装置によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、ユーザが家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１６９】
図６は、別の例示的な実施例に係るモード切替装置のブロック図である。当該モード切替装置は、ソフトウェア、ハードウェア、又は両者の組み合わせにより、家電機器の一部又は全部を実現することができる。当該モード切替装置は、第１の検出モジュール６１０と、モード切替モジュール６２０と、モード運転モジュール６３０と、第１の送信モジュール６４０とを含む。
【０１７０】
第１の検出モジュール６１０は、自身の運転状態が異常状態にあるか否かを検出するように構成される。
【０１７１】
モード切替モジュール６２０は、異常状態にある場合、現在の運転モードをセーフモードに切り替えるように構成される。
【０１７２】
モード運転モジュール６３０は、セーフモードで運転するように構成される。当該セーフモードは、家電機器の電動機への電源をオフすること、警報を発すること、家電機器のファンの回転を停止させることのうちの少なくとも1つを含む。
【０１７３】
第１の送信モジュール６４０は、家電機器と電子設備が接続されている場合、電子設備に異常情報を送信するように構成される。当該電子設備は、電子設備の表示画面に異常情報を表示するために用いられる。当該異常情報は、異常位置、異常問題、異常時間、及び異常写真のうちの少なくとも1つを含む。
【０１７４】
好ましくは、第１の検出モジュール６１０は、ハッチが開けられているか否かを検出し、ハッチが開けられている場合、家電機器が異常状態にあると特定するように構成される第１の検出サブモジュール６１２、及び／又は、異物が存在するか否かを検出し、異物が存在する場合、家電機器が異常状態にあると特定するように構成される第２の検出サブモジュール６１４、及び／又は、正常運転を妨げる外力があるか否かを検出し、外力が第１の閾値より大きい場合、家電機器が異常状態にあると特定するように構成される第３の検出サブモジュール６１６を含む。
【０１７５】
好ましくは、当該モード切替装置は、異常情報により通知される異常問題が解消されたか否かを検出するように構成される第２の検出モジュール６５０と、異常情報により通知される異常問題が解消された場合、電子設備に異常回復情報を送信するように構成される第２の送信モジュール６６０をさらに含む。ここで、上記電子設備は、電子設備の表示画面に異常回復情報を表示するために用いられる。
【０１７６】
好ましくは、当該モード切替装置は、電子設備からの運転回復信号を受信するように構成される信号受信モジュール６７０と、運転回復信号に基づいて異常位置の運転を回復するように構成される運転回復モジュール６８０をさらに含む。
【０１７７】
好ましくは、当該モード切替装置は、異常情報を統計するためのサーバに異常情報をアップロードするように構成される情報アップロードモジュール６９０をさらに含む。
【０１７８】
好ましくは、第１の送信モジュール６４０は、電子設備との間に確立された無線接続によって、電子設備に異常情報を送信するように構成される第１の送信サブモジュール６４２、又は、ゲートウェイ設備を介して、同一のＬＡＮに属する電子設備に異常情報を送信するように構成される第２の送信サブモジュール６４４、又は、インタネットを介して、電子設備に異常情報を送信するように構成される第３の送信サブモジュール６４０を含む。
【０１７９】
好ましくは、当該モード切替装置は、電子設備と予め結合関係を確立するように構成される第１の結合モジュール６００をさらに含む。
【０１８０】
要するに、本実施例に係るモード切替装置によると、自身の運転状態が異常状態にあるか否かを検出し、異常状態にある場合、現在の運転モードをセーフモードに切り替え、セーフモードで運転し、家電機器と電子設備が接続されている場合、電子設備に異常情報を送信することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１８１】
本実施例に係るモード切替装置によると、さらに、異常情報により通知される異常問題が解消されたか否かを検出し、異常情報により通知される異常問題が解消された場合、電子設備に異常回復情報を送信することによって、異常問題が解消されたか否かをリアルタイムにモニタリングできるという効果を達成できる。
【０１８２】
本実施例に係るモード切替装置によると、さらに、電子設備からの運転回復信号を受信し、運転回復信号に基づいて異常位置の運転を回復することによって、手動で運転を回復する必要がなく、自動に運転を回復できるという効果を達成できる。
【０１８３】
本実施例に係るモード切替装置によると、さらに、異常情報を統計するためのサーバに異常情報をアップロードすることにより、メーカがサーバを通じて家電機器の異常情報を把握して統計できるようにするという効果を達成できる。
【０１８４】
図７は、一例示的な実施例に係るモード切替装置のブロック図である。当該モード切替装置は、ソフトウェア、ハードウェア、又は両者の組み合わせにより、電子設備の一部又は全部を実現することができる。当該モード切替装置は、第１の受信モジュール７２０と、第１の表示モジュール７４０とを含む。
【０１８５】
第１の受信モジュール７２０は、家電機器から送信された異常情報を受信するように構成される。当該異常情報は、家電機器が自身の運転状態が異常状態にあることを検出した場合に送信するものである。
【０１８６】
第１の表示モジュール７４０は、電子設備の表示画面に異常情報を表示するように構成される。当該異常情報は、異常位置、異常問題、異常時間、及び異常写真のうちの少なくとも1つを含む。
【０１８７】
要するに、本実施例に係るモード切替装置によると、家電機器から送信された異常情報を受信し、電子設備の表示画面に異常情報を表示することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１８８】
図８は、別の例示的な実施例に係るモード切替装置のブロック図である。当該モード切替装置は、ソフトウェア、ハードウェア、又は両者の組み合わせにより、電子設備の一部又は全部を実現することができる。当該モード切替装置は、第１の受信モジュール８１０と、第１の表示モジュール８２０とを含む。
【０１８９】
第１の受信モジュール８１０は、家電機器から送信された異常情報を受信するように構成される。当該異常情報は、家電機器が自身の運転状態が異常状態にあることを検出した場合に送信するものである。
【０１９０】
第１の表示モジュール８２０は、電子設備の表示画面に異常情報を表示するように構成される。当該異常情報は、異常位置、異常問題、異常時間、及び異常写真のうちの少なくとも1つを含む。
【０１９１】
好ましくは、第１の表示モジュール８２０は、異常情報のうちの異常位置が家電機器の模式図に表示される場合、異常位置を家電機器の模式図における他の位置から区別表示するように構成される区別表示サブモジュール８２２を含む。当該区別表示は、色区別表示、動画区別表示、及び輪郭区別表示のうちの少なくとも１つを含む。
【０１９２】
好ましくは、当該モード切替装置は、家電機器から送信された異常回復情報を受信するように構成される第２の受信モジュール８３０と、電子設備の表示画面に異常回復情報を表示するように構成される第２の表示モジュール８４０をさらに含む。上記異常回復情報は、家電機器が異常問題の回復を検出したときに送信するものである。
【０１９３】
好ましくは、当該モード切替装置は、家電機器が異常位置の運転を回復するように指示するための運転回復信号を家電機器に送信するように構成される第３の送信モジュール８５０をさらに含む。
【０１９４】
好ましくは、第１の受信モジュール８１０は、家電機器との間に確立された無線接続によって、家電機器から送信された異常情報を受信するように構成される第１の受信サブモジュール８１２、又は、ゲートウェイ設備を介して、同一のＬＡＮに属する家電機器から送信された異常情報を受信するように構成される第２の受信サブモジュール８１４、又は、インタネットを介して、家電機器から送信さらた異常情報を受信するように構成される第３の受信サブモジュール８１６を含む。
【０１９５】
好ましくは、当該モード切替装置は、家電機器と予め結合関係を確立するように構成される第２の結合モジュール８６０をさらに含む。
【０１９６】
要するに、本実施例に係るモード切替装置によると、家電機器から送信された異常情報を受信し、電子設備の表示画面に異常情報を表示することによって、ユーザが家電機器の異常にすぐに気づくことができないこと、及び、家電機器の運転モードをオフモードに調整することを忘れた場合に依然比較的大きな安全上の危険が潜在するという問題を解決する。つまり、ユーザが家電機器の異常をすぐに気づくことができるようにし、家電機器の損害程度を効果的に低減させるとともに、ユーザによる家電機器の使用時の安全上の潜在的危険を効果的に低減させるという効果を達成できる。
【０１９７】
本実施例に係るモード切替装置によると、さらに、家電機器から送信された異常回復情報を受信し、電子設備の表示画面に異常回復情報を表示することによって、異常問題が解消されたか否かをリアルタイムにモニタリングできるという効果を達成できる。
【０１９８】
本実施例に係るモード切替装置によると、さらに、家電機器に運転回復信号を送信することによって、手動で運転を回復する必要がなく、自動に運転を回復できるという効果を達成できる。
【０１９９】
上記実施例における装置について、その各モジュールが操作を実行する具体的な方法は、当該方法に係る実施例において詳しく説明されたので、ここで詳しい説明を省略する。
【０２００】
図９は、一例示的な実施例に係るモード切替用装置９００のブロック図である。当該装置は、例えば家電機器である。
【０２０１】
図９を参照すると、装置９００は、プロセスアセンブリ９０２、メモリ９０４、電源アセンブリ９０６、ファンアセンブリ９０８、マフラ９１０、センサアセンブリ９１２、及び通信アセンブリ９１４のような１つ或いは複数のアセンブリを含んでもよい。
【０２０２】
プロセスアセンブリ９０２は、一般的には装置９００の全体の動作を制御するものであり、例えば、表示、電話呼び出し、データ通信と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含んでプロセスアセンブリ９０２と他のアセンブリとの間の相互作用が容易になるようにしてもよい。
【０２０３】
メモリ９０４は、各種類のデータを記憶することにより装置９００の動作を支援するように構成される。これらのデータの例は、装置９００において操作されるいずれのアプリケーションプログラム又は方法の命令を含む。メモリ９０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２０４】
電源アセンブリ９０６は、装置９００の各アセンブリに電力を供給する。電源アセンブリ９０６は、電源管理システム、一つ或いは複数の電源、及び装置９００のための電力の生成、管理、及び割り当てに関連する他のアセンブリを含んでもよい。
【０２０５】
ファンアセンブリ９０８は、装置９００において空気の質を改善するとともにノイズを生じさせる。
【０２０６】
電動機アセンブリ９１０は、装置９００において、電磁誘導の法則に基づいて電気エネルギー変換又は伝達を実現する電磁装置である。電子回路において、電動機（俗に言う「モータ」）は、アルファベットＭ（旧標準ではＤ）で示される。その主な役割は、駆動トルクを生じ、電気装置又は各種類の機械の動力源として用いられる。
【０２０７】
センサアセンブリ９１２は、装置９００に各方面の状態に対する評価を提供するための一つ以上のセンサを含む。
【０２０８】
通信アセンブリ９１４は、装置９００と他の機器の間に有線、又は無線形態の通信を提供する。装置９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１４は、放送チャンネルを介して外部の放送管理システムからの放送信号、又は放送に関連する情報を受信する。一つの例示的な実施例において、上記通信アセンブリ９１４は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２０９】
例示的な実施例において、装置９００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記図１または図３Ａに示すモード切替方法を実行する。
【０２１０】
例示的な実施例において、命令を含むコンピュータ読取り可能な非一時的な記録媒体、例えば命令を含むメモリ９０４をさらに提供し、装置９００のプロセッサ９２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２１１】
図１０は、別の例示的実施例に係るモード切替用装置１０００のブロック図である。当該装置は、電子設備であり、例えば、装置１０００は、携帯電話、コンピュータ、デジタル放送端末、メッセージ送受信装置、ゲームコンソール、タブレット装置、医療設備、フィットネス装置、ＰＤＡなどである。
【０２１２】
図１０を参照すると、装置１０００は、プロセスアセンブリ１００２、メモリ１００４、電源アセンブリ１００６、マルチメディアアセンブリ１００８、オーディオアセンブリ１０１０、入出力（Ｉ／Ｏ）インタフェース１０１２、センサアセンブリ１０１４、及び通信アセンブリ１０１６のような一つ或いは複数のアセンブリを含んでもよい。
【０２１３】
プロセスアセンブリ１００２は、一般的には装置１０００の全体の動作を制御するものであり、例えば、表示、電話呼び出し、データ通信、カメラ操作、及び記録操作と関連する操作を制御する。プロセスアセンブリ１００２は、一つ以上のプロセッサ１０２０を含み、これらによって命令を実行することにより、上記の方法の全部、或は一部のステップを実現するようにしてもよい。なお、プロセスアセンブリ１００２は、一つ以上のモジュールを含んでプロセスアセンブリ１００２と他のアセンブリの間のインタラクションを容易にしてもよい。例えば、プロセスアセンブリ１００２は、マルチメディアモジュールを含んでマルチメディアアセンブリ１００８とプロセスアセンブリ１００２の間のインタラクションを容易にしてもよい。
【０２１４】
メモリ１００４は、各種類のデータを記憶することにより装置１０００の動作を支援するように構成される。これらのデータの例は、装置１０００において操作されるいずれのアプリケーションプログラム又は方法の命令、連絡対象データ、電話帳データ、メッセージ、画像、ビデオ等を含む。メモリ１００４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２１５】
電源アセンブリ１００６は、装置１０００の各アセンブリに電力を供給する。電源アセンブリ１００６は、電源管理システム、一つ或いは複数の電源、及び装置１０００のための電力の生成、管理、及び割り当てに関連する他のアセンブリを含んでもよい。
【０２１６】
マルチメディアアセンブリ１００８は、上記装置１０００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１００８は、一つのフロントカメラ、及び／又はリアカメラを含む。装置１０００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２１７】
オーディオアセンブリ１０１０は、オーディオ信号を入出力するように構成される。例えば、オーディオアセンブリ１０１０は、一つのマイク（ＭＩＣ）を含み、装置１０００が、例えば呼出しモード、記録モード、及び音声認識モード等の操作モードにある場合、マイクは外部のオーディオ信号を受信することができる。受信されたオーディオ信号は、さらにメモリ１００４に記憶されたり、通信アセンブリ１０１６を介して送信されたりする。部分実施例において、オーディオアセンブリ１０１０は、オーディオ信号を出力するための一つのスピーカーをさらに含む。
【０２１８】
Ｉ／Ｏインタフェース１０１２は、プロセスアセンブリ１００２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２１９】
センサアセンブリ１０１４は、装置１０００に各方面の状態に対する評価を提供するための一つ以上のセンサを含む。例えば、センサアセンブリ１０１４は、装置１０００のＯＮ／ＯＦＦ状態、装置１０００のディスプレイとキーパッドのようなアセンブリの相対的な位置決めを検出できる。また、センサアセンブリ１０１４は、装置１０００、或いは装置１０００の一つのアセンブリの位置変更、ユーザと装置１０００とが接触しているか否か、装置１０００の方位、又は加速／減速、装置１０００の温度の変化を検出できる。センサアセンブリ１０１４は、何れの物理的接触がない状態にて付近の物体の存在を検出するための近接センサを含んでもよい。センサアセンブリ１０１４は、撮影アプリケーションに適用するため、ＣＭＯＳ、又はＣＣＤ画像センサのような光センサを含んでもよい。部分実施例において、当該センサアセンブリ１０１４は、加速度センサ、ジャイロスコープセンサ、磁気センサ、圧力センサ、及び温度センサをさらに含んでもよい。
【０２２０】
通信アセンブリ１０１６は、装置１０００と他の機器の間に有線、又は無線形態の通信を提供する。装置１０００は、例えばＷｉＦｉ、２Ｇ、３Ｇ、或はこれらの組み合わせなどの、通信規格に基づいた無線ネットワークに接続されてもよい。一つの例示的な実施例において、通信アセンブリ１０１６は、放送チャンネルを介して外部の放送管理システムからの放送信号、又は放送に関連する情報を受信する。一つの例示的な実施例において、上記通信アセンブリ１０１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２２１】
例示的な実施例において、装置１０００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記図２または図４に示すモード切替方法を実行する。
【０２２２】
例示的な実施例において、命令を含むコンピュータ読取り可能な非一時的な記録媒体、例えば命令を含むメモリ１００４をさらに提供し、装置１０００のプロセッサ１４２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２２３】
本発明は、上記で記述し、添付の図面で図示した特定の構成に限定されず、本発明の範囲を逸脱しない限り、様々な修正と変更を行うことができる。本発明の範囲は、添付される特許請求の範囲のみにより限定される。
【０２２４】
本願は、出願番号がＣＮ２０１４１０５９６７３０．２であって、出願日が２０１４年１０月２９日である中国特許出願に基づき優先権を主張し、当該中国特許出願のすべての内容を本願に援用する。
【国際調査報告】
2017503143.tif 000015
2017503143.tif 000016
2017503143.tif 000017
2017503143.tif 000018